(57)【要約】  本明細書では、特別な実施形態により、測定報告用の無線デバイスによって遂行される方法が開示される。この方法は第１の数のビームを検知することを含む。この方法は、第２の数のビームの１つまたは複数の特性を測定することも含む。第２の数のビームは、第１の数のビームのうち１つまたは複数のビームを含む。この方法は、第２の数のビームの１つまたは複数の特性を測定して導出されたビームの測定情報を含む測定報告を生成することを付加的に含む。この方法は、ネットワークノードに対してビームの測定情報を伴う測定報告を送信することをさらに含む。【選択図】図８
2020516123.tif 000002
【特許請求の範囲】
【請求項１】
測定報告のための方法であって、
ネットワークノードにおいて、第１の無線デバイスが測定報告を構築する要領を規定するビームの報告設定を含むメッセージを生成することと、
無線デバイスにおいて、前記ビームの報告設定を含む前記メッセージを受信することと、
前記無線デバイスにおいて、第１の数のビームの１つまたは複数の特性を測定することと、
前記無線デバイスにおいて、前記１つまたは複数の特性のうち少なくともいくつかを処理することによってレイヤ１のセルの品質値を生成することと、
前記ビームの報告設定がレイヤ１の報告のみを規定するときには、
前記無線デバイスにおいて、前記セルの品質値を含む測定報告を生成することと、
前記無線デバイスにおいて、レイヤ１の処理の後に前記１つまたは複数の特性を棄却することと、
前記ビームの報告設定がレイヤ１の処理に加えてレイヤ３の処理を規定するときには、
前記無線デバイスにおいて、前記測定報告に含まれるべき１つまたは複数のビームを選択することと、
前記無線デバイスにおいて、前記１つまたは複数の特性のうち少なくともいくつかに基づいて選択された１つまたは複数のビームに関するレイヤ３のビームの測定情報を生成することと、
前記無線デバイスにおいて、前記セルの品質値および前記ビームの測定情報を含む測定報告を生成することと、
前記ネットワークノードに前記測定報告を送信することと、
前記ネットワークノードにおいて前記測定報告を受信することと、
前記ネットワークノードにおいて、前記受信された測定報告に基づいて１つまたは複数のネットワーク設定パラメータを変更することとを含む方法。
【請求項２】
測定報告のための方法であって、
第１の数のビームを検知することと、
前記第１の数のビームのうち１つまたは複数のビームを含む第２の数のビームの１つまたは複数の特性を測定することと、
前記第２の数のビームの前記１つまたは複数の特性の前記測定から導出されたビームの測定情報を含む測定報告を生成することと、
前記ビームの測定情報を伴う前記測定報告をネットワークノードに送信することとを含む方法。
【請求項３】
前記第１の数のビームが第１のセルに関連づけられており、
前記測定報告を生成することが、前記第１のセルに関連した前記第１の数のビームのうち少なくともいくつかに基づいて前記第１のセルのセル品質の指示を生成すること含む、請求項２に記載の方法。
【請求項４】
第２の測定報告を生成することをさらに含む方法であって、前記測定報告がビームの測定情報を含み、前記第２の測定報告が前記セルの品質の指示を含む、請求項３に記載の方法。
【請求項５】
レイヤ３の処理のために、前記第２の数のビームの前記１つまたは複数の特性の測定結果を供給することと、
前記レイヤ３の処理の出力に基づいてビームの測定情報を導出することとをさらに含む、請求項２に記載の方法。
【請求項６】
レイヤ３の処理が、前記第２の数のビームの前記１つまたは複数の特性を受信することと、前記第２の数のビームの前記１つまたは複数の特性のレイヤ３のフィルタリングを遂行することとを含む、請求項５に記載の方法。
【請求項７】
起動イベントが検知されるまで、前記第２の数のビームの前記１つまたは複数の特性の測定結果を管理することをさらに含む、請求項２に記載の方法。
【請求項８】
ビームの報告設定を含むメッセージを受信することをさらに含む方法であって、
前記測定報告が前記ビームの報告設定に基づいて生成される、請求項２に記載の方法。
【請求項９】
前記ビームの測定情報が、
セルごとの１つまたは複数のビーム識別子、あるいは
セルごとの１つまたは複数のビーム識別子および関連するビーム測定結果を含む、請求項２に記載の方法。
【請求項１０】
前記測定報告が前記ビームの測定情報に加えてセルの品質の指示を含み、前記ビームの測定情報の内容がビームの報告設定に基づくものである、請求項９に記載の方法。
【請求項１１】
前記第２の数のビームの前記１つまたは複数の特性の測定結果を記憶することをさらに含む、請求項２に記載の方法。
【請求項１２】
第１の数のビームを検知するように設定された無線インターフェースと、
前記第１の数のビームのうち１つまたは複数のビームを含む第２の数のビームの１つまたは複数の特性を測定するように設定された処理サーキットリとを備える、報告するための無線デバイスであって、
前記処理サーキットリが、前記第２の数のビームの前記１つまたは複数の特性の前記測定から導出されたビームの測定情報を含む測定報告を生成するようにさらに設定されており、
前記無線インターフェースが、ネットワークノードに対して前記ビームの測定情報を伴う前記測定報告を送信するようにさらに設定されている、無線デバイス。
【請求項１３】
前記第１の数のビームが第１のセルに関連づけられており、
前記測定報告を生成するように設定された前記処理サーキットリが、前記第１のセルに関連した前記第１の数のビームうち少なくともいくつかに基づいて前記第１のセルの品質の指示を生成するようにさらに設定されている、請求項１２に記載の無線デバイス。
【請求項１４】
前記測定報告を生成するように設定された前記処理サーキットリが第２の測定報告を生成するようにさらに設定されており、前記測定報告がビームの測定情報を含み、前記第２の測定報告が前記セルの品質の指示を含む、請求項１３に記載の無線デバイス。
【請求項１５】
前記処理サーキットリが、レイヤ３の処理のために、前記第２の数のビームの前記１つまたは複数の特性の測定結果を供給するようにさらに設定されており、前記処理サーキットリが、前記レイヤ３の処理の出力に基づいてビームの測定情報を導出するようにさらに設定されている、請求項１２に記載の無線デバイス。
【請求項１６】
処理サーキットリを備えるレイヤ３の処理が、第２の数のビームの１つまたは複数の特性を受信して、前記第２の数のビームの前記１つまたは複数の特性のレイヤ３のフィルタリングを遂行するように設定されている、請求項１５に記載の無線デバイス。
【請求項１７】
前記処理サーキットリが、起動イベントが検知されるまで、前記第２の数のビームの前記１つまたは複数の特性の測定結果を管理するようにさらに設定されている、請求項１２に記載の無線デバイス。
【請求項１８】
前記無線インターフェースが、ビームの報告設定を含むメッセージを受信するようにさらに設定されており、前記測定報告が前記ビームの報告設定に基づいて生成される、請求項１２に記載の無線デバイス。
【請求項１９】
前記ビームの測定情報が、
セルごとの１つまたは複数のビーム識別子、あるいは
セルごとの１つまたは複数のビーム識別子および関連するビーム測定結果を含む、請求項１２に記載の無線デバイス。
【請求項２０】
前記測定報告が前記ビームの測定情報に加えてセルの品質の指示を含み、前記ビームの測定情報の内容がビームの報告設定に基づくものである、請求項１９に記載の無線デバイス。
【請求項２１】
前記処理サーキットリが、前記第２の数のビームの前記１つまたは複数の特性の測定結果を記憶媒体に記憶するようにさらに設定されている、請求項１２に記載の無線デバイス。
【請求項２２】
処理サーキットリと、前記処理サーキットリによって実行可能な命令を含むコンピュータ可読媒体とを備える測定報告用の無線デバイスであって、
第１の数のビームを検知するように設定された受信ユニットと、
前記第１の数のビームのうち１つまたは複数のビームを含む第２の数のビームの１つまたは複数の特性を測定するように設定された測定ユニットと、
前記第２の数のビームの前記１つまたは複数の特性の前記測定から導出されたビームの測定情報を含む測定報告を生成するように設定された報告ユニットと、
ネットワークノードに対して前記ビームの測定情報を伴う前記測定報告を送信するように設定された送信ユニットとを備える無線デバイス。
【請求項２３】
前記第１の数のビームが第１のセルに関連づけられており、
前記測定報告を生成するように設定された前記報告ユニットが、前記第１のセルに関連した前記第１の数のビームのうち少なくともいくつかに基づいて前記第１のセルのセル品質の指示を生成するようにさらに設定されている、請求項２２に記載の無線デバイス。
【請求項２４】
前記測定報告を生成するように設定された前記報告ユニットが第２の測定報告を生成するようにさらに設定されており、前記測定報告がビームの測定情報を含み、前記第２の測定報告が前記セルの品質の指示を含む、請求項２３に記載の無線デバイス。
【請求項２５】
前記測定ユニットが、前記第２の数のビームの前記１つまたは複数の特性のレイヤ３の処理に基づいてビームの測定情報を判定するようにさらに設定されている、請求項２２に記載の無線デバイス。
【請求項２６】
レイヤ３の処理を遂行するように設定された前記測定ユニットが、前記第２の数のビームの前記１つまたは複数の特性を受信して、前記第２の数のビームの前記１つまたは複数の特性のレイヤ３のフィルタリングを遂行するようにさらに設定されている、請求項２５に記載の無線デバイス。
【請求項２７】
起動イベントが検知されるまで、前記第２の数のビームの前記１つまたは複数の特性の測定結果を管理するように設定された管理ユニットをさらに備える、請求項２２に記載の無線デバイス。
【請求項２８】
前記受信ユニットが、ビームの報告設定を含むメッセージを受信するようにさらに設定されており、前記測定報告が前記ビームの報告設定に基づいて生成される、請求項２２に記載の無線デバイス。
【請求項２９】
前記ビームの測定情報が、
セルごとの１つまたは複数のビーム識別子、あるいは
セルごとの１つまたは複数のビーム識別子および関連するビーム測定結果を含む、請求項２２に記載の無線デバイス。
【請求項３０】
前記測定報告が前記ビームの測定情報に加えてセルの品質の指示を含み、前記ビームの測定情報の内容がビームの報告設定に基づくものである、請求項２９に記載の無線デバイス。
【請求項３１】
前記第２の数のビームの前記１つまたは複数の特性の前記測定結果を記憶するように設定された記憶ユニットをさらに備える、請求項２２に記載の無線デバイス。
【発明の詳細な説明】
【技術分野】
【０００１】
本明細書で提示される実施形態は無線通信に関し、詳細にはビームベースのシステムにおける測定報告のための方法、ネットワークノード、無線デバイス、ユーザ機器、コンピュータプログラム、コンピュータプログラム製品または仮想デバイスに関するものである。
【背景技術】
【０００２】
ＬＴＥにおけるモビリティ実行
Ｌｏｎｇ  Ｔｅｒｍ  Ｅｖｏｌｕｔｉｏｎ（ＬＴＥ）では、ユーザ機器は、ネットワークがセルレベルの測定報告に基づいてハンドオーバを判定することを支援する。より具体的には、ＬＴＥでは、ＲＲＣ＿ＣＯＮＮＥＣＴＥＤ  ＵＥは、サービングセルからハンドオーバ命令を受信することにより、サービングセルからターゲットセルへのハンドオーバを遂行し得る。ハンドオーバ命令は、ＵＥがターゲットセルにアクセスするために必要な情報をすべて含有しているＲＲＣＣｏｎｎｅｃｔｉｏｎＲｅｃｏｎｆｉｇｕｒａｔｉｏｎメッセージでよい。たとえば、このメッセージは、ターゲットの物理セル識別子（ＰＣＩ）およびターゲットセルのランダムアクセスチャネル（ＲＡＣＨ）設定のような情報を含有し得る。
【０００３】
３ＧＰＰ  ＴＳ  ３６．３３１に明記されたＲＲＣ規格では、上記の情報は、ＲＲＣＣｏｎｎｅｃｔｉｏｎＲｅｃｏｎｆｉｇｕｒａｔｉｏｎメッセージの中のｍｏｂｉｌｉｔｙＣｏｎｔｒｏｌＩｎｆｏ情報要素（ＩＥ）において符号化される。この情報はＵＥに対してハンドオーバを指示する。ＲＡＣＨ情報については、共通の部分と、ＩＥのｒａｄｉｏＲｅｓｏｕｒｃｅＣｏｎｆｉｇＣｏｍｍｏｎの部分と、ｒａｃｈ−ＣｏｎｆｉｇＤｅｄｉｃａｔｅｄにおいて符号化された専用の別の任意選択の部分（たとえば無競合ランダムアクセス用のＵＥに特有のプリアンブル）とがある。これらのＩＥのうちいくつかは以下で明らかにされる。
【０００４】
ｍｏｂｉｌｉｔｙＣｏｎｔｒｏｌＩｎｆｏが専用のＲＡＣＨ情報を含有している場合には、ＵＥはこれをターゲットセルに対する無競合ランダムアクセス用に使用し、ターゲットセルは所与のプリアンブルを予期するべきであり、そうでなければ、ＵＥは、単に、ｍｏｂｉｌｉｔｙＣｏｎｔｒｏｌＩｎｆｏの一部分である一般的なＲＡＣＨ設定で提供される設定ごとに、競合ベースのランダムアクセスを遂行するべきである。
【０００５】
最新の５Ｇ無線（ＮＲ）におけるモビリティ実行
ＮＲは、ＵＥが非常に高いデータレートでメッセージを送受信することができるように、カバレッジを増強するため、および／または少なくともデータチャネルの信号対干渉雑音比（ＳＩＮＲ）を改善するためにビーム形成が使用される帯域を含めて広範囲の周波数をサポートするためのシステムとして設計されるべきである。ＲＲＣ＿ＣＯＮＮＥＣＴＥＤ状態におけるモビリティを参照して、３ＧＰＰ  ＷＧ  ＲＡＮ２は、アテネにおけるＲＡＮ２＃９７ミーティングにおいて、「ターゲットセルに関するアクセス情報（たとえばＲＡＣＨ設定）はＨＯ命令で与えられ、ＵＥが読取りシステム情報のないセルにアクセスすることを可能にする。アクセス情報は（存在する場合には）ビームに特有の情報を含み得る。」という合意がなされた。また、リノにおけるＲＡＮ＃９６ミーティングにおいて、「１：少なくともセルｉｄおよびターゲットセルにアクセスするのに必要なすべての情報はＨＯ命令に含まれる。２：少なくともいくつかの事例については、競合ベースのアクセスおよび無競合アクセスに必要な情報はＨＯ命令に含まれ得る。３：ターゲットセルのどのようなビーム関連情報が必要とされるか調査する。」という合意がなされた。
【０００６】
ターゲットセルのどのようなビーム関連情報が必要とされるか、その情報がターゲットセルにアクセスするＵＥによってどのように使用されるか、という問題に対して、既存の解決策は、ＵＥが報告する情報が少なすぎて、ターゲットセルにおけるリソースの使用が非効率的になるという選択肢１、またはＵＥが報告する情報が多すぎて、複雑な処理、設定、および標準化が必要となり、実際に役立つことがないという選択肢２、のいずれかに頼るものである。これらのケースのどちらでも、ＮＲにおけるＵＥは、同期（ＳＳ）ブロックセットに基づいてセルを検知する。ＵＥは、所与のセルに関してサンプルを収集し、ＳＳブロックごとに１つ、複数のビームを検知することになる。たとえば、図１に示されるように、ＵＥは、Ｌ１のフィルタリングに対する入力として使用されるセル値のＲＳＲＰを導出する前に、少なくとも全体のＳＳブロックバーストセットを検討してよい。図示されたシナリオでは、ＵＥは、１つのセルにつき１つのスナップショットにおいて５つのビーム（ビーム＃４、＃６、＃９、＃１０、および＃１２、これらはあらかじめ規定されたＳＩＮＲを上回り、ＵＥによって識別され得るものである）を検知することができる。次いで、ＵＥは、ＳＩＮＲの計算および／またはセットにおけるビームごとのＲＳＲＰを遂行する。
【０００７】
選択肢１では、ＵＥは、１つのビーム当たりの計算されたＲＳＲＰ値を組み合わせ、たとえばＮ（Ｎはネットワークによって設定され得る）の最強／最善のビームの平均をとって、サンプルごとのセルの品質のＲＳＲＰ値を導出する。これが、レイヤ１（Ｌ１）のフィルタの入力として供給され、次いでＬ１のフィルタリングされた値がレイヤ３（Ｌ３）に供給され、次いで、レイヤ３（Ｌ３）が、ＲＲＣ層によって制御された／設定された別のフィルタリングをさらに遂行する。次いで、ＵＥは、サンプルごとのビームレベルのＲＳＲＰ値を棄却する。次のサンプルでも、ＵＥは類似のタスク等を遂行する。その場合の測定モデルは図２に示されている。この選択肢では、イベントを起動するために与えられるのはセルレベルの測定結果のみであり、測定報告によってネットワークに送られるのはセルレベルの品質のみである。
【０００８】
選択肢１において構築された報告に基づくハンドオーバ裁定を得ることでは、ネットワークは、ＵＥが測定したターゲットセルに関連したビームに関することを識別できない。したがって、ターゲットノードは、ターゲットセルに関連したハンドオーバ命令を準備する必要があるときには、すべての可能性のある／許可されたＳＳブロックに対してＲＡＣＨ情報を供給して、入ってくるＵＥ用にＳＳブロックごとに専用プリアンブルを割り当てる（ＵＥがアクセスするのは１つだけなので、ＲＡＣＨリソースの浪費である）か、あるいは競合ベースのアクセスに頼る（２つ以上のＵＥによるランダムアクセス（ＲＡ）衝突のリスクがある）必要がある。加えて、ターゲットは、ＵＥがどのビームに対するアクセスを許可されるかということを制御しない可能性がある。加えて、サービングセルは、ハンドオーバを裁定する前でも、多少のビームを伴うセルに優先順位をつけることができない。
【０００９】
選択肢２では、ＵＥがセルの品質を導出するためにビームごとに計算されたＲＳＲＰ値を組み合わせる要領に関係なく、ＵＥは、依然としてビームごとのフィルタリングされた値を維持する必要がある。各サンプルにおいて、ＵＥは、ビームごとのＲＳＲＰ値を記憶してビームごとに専用のＬ１のフィルタに供給し、これが、ビームごとに専用のＬ３のフィルタに入力としてさらに供給され、次いでＬ３において使用され得る。その場合、ＵＥは、依然として、セルレベルの品質に基づいてイベントを起動することができるが、選択肢１とは違って、測定報告の中に、これらビームごとのＲＳＲＰ値を含むことができる。サービングノードは、ＵＥからサービングネットワークノードと可能性としてターゲットサービングノードとに供給される付加情報を用いて、実際は、選択肢１と比較してより訓練された裁定が可能であり、ターゲットがリソースをより効率的に割り当てることを可能にする。しかしながら、選択肢２は、ＵＥが、全く予測不能な多数のフィルタリングプロセスをビームごとに維持する必要があるという意味で非常に高コストである。たとえば、ＵＥは、第１のサンプルにおいてビーム＃１、＃２、＃３を検知してフィルタリングを起動し、次いで、第２のサンプルにおいてビーム＃４、＃５、＃６を検知する、といった具合になる。そのゆえに、サンプルごとにビーム数が変化し得るばかりでなく特定のビームが生じ、その結果、Ｌ３はすべての異なるエラーのケースおよびシナリオの管理／制御を必要とされる。
【発明の概要】
【００１０】
本明細書の実施形態の目的は、無線デバイスがビームの測定情報を含む測定報告を供給することを可能にすることである。ビームの測定情報により、ネットワークのより優れた管理が可能になり得る。ある実施形態によれば、無線デバイスによって測定報告のために遂行される方法は、第１の数のビームを検知することを含む。この方法は、第２の数のビームの１つまたは複数の特性を測定することも含む。第２の数のビームは、第１の数のビームのうち１つまたは複数のビームを含む。この方法は、第２の数のビームの１つまたは複数の特性を測定して、導出されたビームの測定情報を含む測定報告を生成することを付加的に含む。この方法は、ネットワークノードに対してビームの測定情報を伴う測定報告を送信することをさらに含む。
【００１１】
いくつかの実施形態では、第１の数のビームが第１のセルに関連づけられる。その上、測定報告を生成することは、第１のセルに関連した第１の数のビームのうち少なくともいくつかに基づいて第１のセルのセル品質の指示を生成することを含み得る。
【００１２】
いくつかの実施形態では、測定報告を生成することは第２の測定報告を生成することを含む。第１の測定報告はビームの測定情報を含み、第２の測定報告はセルの品質の指示を含む。
【００１３】
ある実施形態では、この方法は、レイヤ３の処理のために第２の数のビームの１つまたは複数の特性の測定結果を供給することをさらに含み得る。そのような実施形態では、この方法は、レイヤ３の処理の出力に基づいてビームの測定情報を導出することを付加的に含み得る。
【００１４】
特別な実施形態では、レイヤ３の処理は、第２の数のビームの１つまたは複数の特性を受信して、第２の数のビームの１つまたは複数の特性のレイヤ３のフィルタリングを遂行することを含み得る。
【００１５】
いくつかの実施形態では、この方法は、起動イベントが検知されるまで、第２の数のビームの１つまたは複数の特性の測定結果を管理することを付加的に含み得る。
【００１６】
ある実施形態では、この方法は、ビームの報告設定を含むメッセージを受信することをさらに含み得る。測定報告は、ビームの報告設定に基づいて生成されてよい。
【００１７】
いくつかの実施形態では、ビームの測定情報は、セルごとの１つまたは複数のビーム識別子、あるいはセルごとの１つまたは複数のビーム識別子および関連するビーム測定結果を含み得る。
【００１８】
いくつかの実施形態では、この方法は、第２の数のビームの１つまたは複数の特性の測定結果を記憶することをさらに含み得る。
【００１９】
本明細書で開示されるいくつかの実施形態によれば、測定報告のための方法は、ネットワークノードにおいて、第１の無線デバイスが測定報告を構築する要領を規定するビームの報告設定を含むメッセージを生成することを含む。この方法は、無線デバイスにおいて、ビームの報告設定を含むメッセージを受信することをさらに含む。この方法は、無線デバイスにおいて、第１の数のビームの１つまたは複数の特性を測定することを付加的に含む。この方法は、１つまたは複数の特性のうち少なくともいくつかを処理することによって、レイヤ１のセルの品質値を生成することをさらに含む。この方法は、ビームの報告設定がレイヤ１の報告しか規定しないときには、レイヤ１の処理の後に１つまたは複数の特性を棄却して、セルの品質値を含む測定報告を生成することを付加的に含む。この方法は、ビームの報告設定がレイヤ１の処理に加えてレイヤ３の処理も規定するときには、測定報告に含まれる１つまたは複数のビームを選択することを含む。この方法は、選択されたビームに関して、１つまたは複数の特性のうちの少なくともいくつかに基づき、選択された１つまたは複数のビームに関するレイヤ３のビームの測定情報を生成して、セルの品質値およびビームの測定情報を含む測定報告を生成することを付加的に含む。この方法は、ネットワークノードに対して測定報告を送信することを付加的に含む。この方法は、ネットワークノードにおいて測定報告を受信することをさらに含む。この方法は、受信された測定報告に基づいて１つまたは複数のネットワーク設定パラメータを変更することも含む。
【００２０】
本明細書で開示されるいくつかの実施形態によれば、報告用の無線デバイスは、第１の数のビームを検知するように設定された無線インターフェースを備える。無線デバイスは、第２の数のビームの１つまたは複数の特性を測定するように設定された処理サーキットリも備える。第２の数のビームは、第１の数のビームのうち１つまたは複数のビームを含む。処理サーキットリは、第２の数のビームの１つまたは複数の特性を測定して、導出されたビームの測定情報を含む測定報告を生成するようにさらに設定されている。無線インターフェースは、ネットワークノードに対してビームの測定情報を伴う測定報告を送信するようにさらに設定されている。
【００２１】
本明細書で開示されるいくつかの実施形態によれば、測定報告用の無線デバイスは、処理サーキットリと、処理サーキットリが実行可能な命令を含むコンピュータ可読媒体とを備える。無線デバイスは、第１の数のビームを検知するように設定された受信ユニットを備える。無線デバイスは、第２の数のビームの１つまたは複数の特性を測定するように設定された測定ユニットも含む。第２の数のビームは、第１の数のビームのうち１つまたは複数のビームを含む。無線デバイスは、第２の数のビームの１つまたは複数の特性を測定して導出されたビームの測定情報を含む測定報告を生成するように設定された報告ユニットも含む。無線デバイスは、ネットワークノードに対してビームの測定情報を伴う測定報告を送信するように設定された送信ユニットをさらに含む。
【００２２】
有利には、本明細書で開示される１つまたは複数の実施形態が提供する１つまたは複数の機構により、無線デバイスは、複数のサンプルにおいてＬ１からＬ３に及ぶ情報の多種多様なレベルを伴う測定報告を送ることが可能になる。測定報告のコンテンツは、ネットワークノードから受信されたビームの報告設定に基づくＬ３の処理によって調節されてよい。報告は、サービングセルおよび／または任意の可能なターゲットセルの要求に対して調節されてよい。測定報告は、実施形態および／またはシナリオに依拠して、ビームレベルの情報、ビーム識別子、セルレベルの情報、またはそれらの任意の組合せを含み得る。実施形態および／またはシナリオに依拠して測定報告が送られてよく、かつ／または、ネットワークの要求または状態に基づいて報告の要件が変更されてよい。本明細書で開示される実施形態により、無線デバイスによる処理が、無線デバイスがビームごとにフィルタリングされた測定結果を常に保持する解決策と比較して、簡単になり得る。本明細書で開示される実施形態により、ネットワーク設定も簡単になり得る。これにより、ビームごとにフィルタリングパラメータを設定する必要性が回避される。これらの比較による利点が提供され得る一方で、本明細書で開示された実施形態の、比較対象に対する他の解決策と同一または類似の結果も達成され得る。
【００２３】
上記の実施形態の任意の機能が、適切ならどこでも任意の他の実施形態に適用され得ることに留意されたい。同様に、任意の実施形態の任意の利点が他の実施形態に当てはまり得、逆も同様である。同封の実施形態の他の目的、特徴および利点は、以下の詳細な開示、添付の特許請求の範囲および図面から明らかになるはずである。
【００２４】
一般に、特許請求の範囲で使用されるすべての用語は、本明細書で明示的に別様に規定されなければ、当技術分野における通常の意味に従って解釈されるべきである。「１つの（ａ）／１つの（ａｎ）／その（ｔｈｅ）要素、装置、構成要素、手段、ステップなど」に対するすべての参照は、別様に明白に明示されたのでなければ、要素、装置、構成要素、手段、ステップなどのうち少なくとも１つを参照するように、オープンに解釈されるべきである。本明細書で開示されたいかなる方法のステップも、明白に明示されたのでなければ、開示された順番通り正確に遂行する必要はない。
【００２５】
次に、例として、添付図面を参照しながら特別な実施形態を説明する。
【図面の簡単な説明】
【００２６】
【図１】特別な実施形態によるＳＳブロックバーストセットを表現する図である。
【図２】従来技術による測定モデルの流れ図である。
【図３】特別な実施形態による測定モデルの流れ図である。
【図４】特別な実施形態による無線ネットワークのブロック図である。
【図５】特別な実施形態によるＵＥのブロック図である。
【図６】特別な実施形態による仮想化環境のブロック図である。
【図７】特別な実施形態による第１の方法の流れ図である。
【図８】特別な実施形態による第２の方法の流れ図である。
【図９】特別な実施形態による無線デバイスのブロック図である。
【発明を実施するための形態】
【００２７】
次に、添付図面を参照しながら、特許請求の範囲によって企図される実施形態のいくつかを、以下でより十分に説明する。しかしながら、他の実施形態は特許請求の範囲の範囲内に含有されており、特許請求の範囲は本明細書で記載された実施形態のみに限定されるように解釈されるべきではなく、むしろ、これらの実施形態は、この開示が完全に完結するように、また当業者に対して発明概念の範囲を完全に伝えるように、例として提供されるものである。説明の全体にわたって、類似の番号は類似の要素を指す。
【００２８】
図３は、特別な実施形態による測定モデルの流れ図を表すものである。図３に表された測定モデル３００は、ビーム処理３１０においてビームごとの測定を遂行し、次いで、それらの測定結果をセルの品質導出３２５およびＬ３の管理３２０に供給する、ＷＤ  ４１０またはＵＥ  ５００などの無線デバイス（ＷＤ）に基づくものである。これはサンプルごとに行われ、Ｌ３の管理３２０は測定結果を管理してビームの測定情報を供給し、セルの品質導出３２５は測定結果を組み合わせてセルの品質値を規定する。次いで、セルの品質値はＬ１のフィルタリング３３０によって処理され、次いでＬ３のフィルタリング３４０によって処理される。次いで、すべての上記の処理の結果は、報告基準の評価３５０において判定されたものとしてネットワークに報告され得る。ビーム処理３１０において処理されるビームは、ＳＳブロックバーストセットからの（たとえばＰＢＣＨおよび／または三次同期シーケンスＴＳＳからの）ビームのサンプルでよい。次いで、ＵＥは、これらのビームごとの測定結果（たとえばＲＳＲＰ値）を棄却する代わりに、３１５ｂにおいて、これらのうち少なくともいくつかを、Ｌ３の管理３２０において管理され、かつ報告基準の評価３５０において判定される測定報告に含まれるように、Ｌ３に供給してよく、サービングノードおよび／またはターゲットノードにおいて、ビームレベルの情報を効率的なやり方で改善する。
【００２９】
ＷＤは、ビーム処理３１０中に、ＳＳブロックバーストセット（複数可）のサンプルに対する測定を遂行してよい。サンプリングから、ＷＤは、検知されたセルごとに１つまたは複数のビームを検知し得る。ＷＤは、それらの検知されたビームまたはそれらのサブセットについて、ビーム処理３１０においてビームに対するＲＳＲＰを遂行することなど、１つまたは複数の品質メトリクスを遂行してよい。ビーム処理３１０によって収集された情報は、３１５ａにおいて、セルの品質値を判定するためのセルの品質導出３２５に渡され、３１５ｂにおいてＬ３の管理に渡されてよく、ここで、結果が記憶されてよく、処理されてよく、そうでなければ管理されてよい。Ｌ３の管理３２０は、（１）閾値を上回る品質メトリック値を有する検知されたビームの数、（２）特定のビーム（たとえばＷＤよって検知されたもの、ビーム処理３１０において処理されたもの、閾値を上回る品質メトリック値を有するものなど）の識別子、（３）特定のビームレベルの品質メトリック値（たとえばＲＳＲＰ）（ビームレベルの品質メトリック値は要求された場合に供給されてよく、そうでなければ、場合によっては、ネットワークによって前もって設定されてよく、または供給されてよい）、といった情報のうち１つまたは複数を取得し得る。ビーム測定値を記憶することにより、（無競合ＲＡＣＨ割当てのようにフィルタリングされた値ごとではなく）ＣＢＲＡ選択に対してスナップショット値を生成することが可能になり得る。これによって、ＵＥは、ハンドオーバを実行するとき、フィルタリングされた値ではなくスナップショット値に基づいて最良のビームを検査することが可能になり得る。これによって、フィルタリングによって導入される何らかの遅延が「最善の」ビーム選択に影響を及ぼす可能性が低減され得る。
【００３０】
ポストビーム処理３１０においてビームレベル測定情報を受信したとき、Ｌ３の管理３２０は、定期報告のために情報を管理するもの、ネットワークからの要求に応答して報告するもの、またはイベント（たとえば起動イベント）に応答して報告するものなど、様々な異なる方式によってこの情報を管理してよい。たとえば、ＷＤは、セルレベルの測定結果がある値に達するなどのイベントまで情報を管理してよく、次いで少なくともＬ３の管理３２０において、管理された情報のうちいくつかが報告されてよい。ＷＤによるＬ３の管理は、Ｌ１から供給される情報に依拠し得る。Ｌ３の管理３２０は、将来の測定報告を予期して、様々な演算、フィルタリング、判定などを遂行することにより、ビームの測定情報をさらに管理してよい。
【００３１】
いくつかの実施形態では、Ｌ１がサンプルごとに検知されたセルごとのビームの数を供給する場合には、Ｌ３の管理は、この値の分布を保ち、次いでこのデータに対する統計的解析（たとえば平均、標準偏差、分散など）を遂行することによってこの情報を使用し得る。このＬ３の処理の結果は測定報告に含まれ得る。いくつかの実施形態では、Ｌ３は、単にこの数の最新の値を記録すればよい。これらのうち１つまたは複数が測定報告に含まれ得る。Ｌ３がＬ１からの情報を処理する要領はネットワーク設定に依拠し得る。
【００３２】
いくつかの実施形態では、３１５ｂにおいて、Ｌ１が、サンプルごとにセルごとの特定のビーム指示（たとえばビームに関連した識別子および／またはビームが関連づけられたＳＳブロック）をＬ３に供給する場合には、Ｌ３は、受信された情報を管理するための方法に関する少数の付加的な選択肢を得てよい。たとえば、Ｌ３の管理３２０は、つい最近のビーム指示を記憶してよい。たとえば、Ｌ１が、サンプル１においてビームインデックス１、７、および５を送り、次いでサンプル２においてビームインデックス５、８、および１２を送ると、サンプル２において起動されるその特別なセルに関する測定報告は、インデックス５、８、１２のみを報告することになる。次いで、ターゲットセルは、報告されたビームに関連したＷＤ専用リソースのハンドオーバに割り当てるべき識別子を使用することができる。Ｌ３がＬ１によって供給された情報を使用し得る要領の別の例には、所与の評価間隔の範囲内の、セルの各ビームの発生回数をカウントすることがある。たとえば、Ｌ１がサンプル１においてビームインデックス１、７、５を送り、サンプル２においてビームインデックス５、８、１２を送る場合には、Ｌ３は、それ自体の記憶装置に、ビーム５が２回測定されたこと、ならびにビーム１、７、８、および１２が１回測定されたことを記憶してよい。前の例に似て、ターゲットセルに関連したターゲットノードがこの情報を伴う報告を受信したとき、このネットワークノードは、よりうまくリソースを割り当てるためにこの情報を使用し得る。たとえば、このネットワークノードは、専用リソースを、識別されたビームのすべて、Ｘ回よりも多く識別されたビーム、最多回数識別されたビームなどに割り当ててよい。別の例として、より輻輳している場合には、ターゲットノードは、この情報を使用して、ＵＥが専用リソースを得るべき１つまたは複数のビームを選択し得る。
【００３３】
いくつかの実施形態では、Ｌ１からＬ３の管理３２０に渡されて測定報告に追加される情報は、ターゲットノードによって、ＣＳＩ−ＲＳを送信する狭いビームのより局所的な送信を起動するためにも使用され得る。これによって、たとえば、ＷＤがターゲットセルに対する狭いビームの測定を遂行すること、または狭いビームの選択を伴うハンドオーバをすることが可能になり得る。たとえば、ＷＤが、サービングノードに、ＳＳブロック１および２に基づくセル値ＲＳＲＰおよびビーム指示を報告すると、サービングノードは、ターゲットノードに、ＣＳＩ−ＲＳプロセスをオンにするかまたは設定することを要求することができ、その結果、ＳＳブロック１および２からのビームを認識しているターゲットノードは、ＳＳブロック１および２からのビームとオーバラップするビームでＣＳＩＲＳプロセスを送り得て、少なくともフルスイープを回避する。
【００３４】
いくつかの実施形態では、Ｌ３の管理３２０は、Ｌ１からのビーム処理３１０によって供給された特定のサンプルごとのビームレベルのＲＳＲＰ値を使用して以前の情報（ビームの数またはビーム指示）のうち任意のものを導出し、測定報告に含める。ビームごとのＲＳＲＰ値の場合には、Ｌ３のフィルタを管理するための様々なやり方があり得る。たとえば、Ｌ３の管理３２０は、つい最近の値を記憶し、次のサンプルでは再現しないビームを棄却してよい。別の例として、Ｌ３の管理３２０は、所定数のフィルタリングされた値を蓄積してよい。実際の数は設定および／またはデバイス能力に依拠し得る。
【００３５】
ネットワーク側では、ネットワークは、セルベースのＲＳＲＰとサンプルごとに検知されたビームの数に関する統計を含有している測定報告とを用いて、（より多くのビームがＵＥによって検知されている状況で）ターゲットセルになる優先権を近隣セルに与えることにより、ピンポンハンドオーバやハンドオーバ障害の数の最小化を試行することができる。ネットワークは、一定領域における統計を収集してもよく、特に、あるセルについて、多くのピンポンハンドオーバまたはハンドオーバ障害を一旦検知すると、ＵＥにおいて、Ｌ３における特定のセルを、サンプルごとのビームのこの数などＬ１から指示される特定のイベントをサブスクライブするように設定することができる。たとえば、位置Ａ（地理的位置）において、サービングセルは、ＵＥを、近隣セルＸに関係のあるビームのつい最近のサンプルを採用するＬ３のビーム管理を遂行させるように設定することができるが、近隣セルＹに関係のあるビームのフィルタリングされたサンプルを採用するＬ３のビーム管理を遂行させるように設定することもできる。次いで、位置Ｂにおいて、サービングセルは、ＵＥを、近隣セルＹに関係のあるビームのつい最近のサンプルを採用するＬ３のビーム管理を遂行させるように設定することができるが、近隣セルＸに関係のあるビームのフィルタリングされたサンプルを採用するＬ３のビーム管理を遂行させるように設定することもできる。
【００３６】
上記で論じられた実施形態、シナリオ、または選択肢のあらゆるものが、様々な異なるやり方で設定され得る。ＷＤを設定する可能なやり方のうちいくつかには、ネットワークが、ＷＤに（たとえば設定メッセージによって）設定をもたらすことが含まれ得る。これは、いくつかの要求もしくは起動イベントに応答して、または関連する規格の態様に基づいて、行われ得る。設定メッセージは、ターゲットノードおよび／またはソースノードに関連したネットワークオペレータのポリシーまたはルールに基づくものでよい。別の可能なやり方には、ＷＤが、（たとえばＷＤの製造業者またはＷＤが関連づけられている特定のオペレータによって）規格の要件に基づいて事前設定され得るものがある。より具体的な例として、いくつかの実施形態では、ＷＤによって測定報告で供給されるビームレベルの情報は、サービングノードおよび／またはターゲットノードの要求に依拠してネットワークによって設定され得る。たとえば、サービングセルは、所与のセルからピンポンハンドオーバが生じていることを検知すると、その特別なセル（複数可）に関する測定報告が上記で説明された指示のうち１つを含むようにＷＤを設定することができる。別の例として、ターゲットセルおよび／またはターゲットノードおよび／または何らかの近隣候補がいくつかのロードされたセルを有する場合には、現在のソースノードは、ＷＤに、次の測定報告にビームごとの情報を含めるように要求してよい。ターゲットノードおよびサービングノードが、ＷＤのビームごとの測定結果が一定領域においてより安定していることに気づいている場合には、これらのビームは、より優れたロードバランシングの裁定をするように要求され得る。たとえば、ビームＸのＲＳＲＰ値がゆっくり変化している場合すなわちＲＳＲＰ値の変化率が小さい場合にはビームＸは安定しており、ＵＥはビームＸに移動することができる。対照的に、ビームＸのＲＳＲＰ値が急速に変化している場合すなわちＲＳＲＰ値の変化率が大きい場合にはビームＸは不安定であり、ＵＥが移動する候補ではない。本明細書で説明された主題は、任意の適切なタイプのデバイスまたはデバイスの組合せにおいて任意の適切な構成要素を使用して実施され得るものであるが、本明細書で開示された実施形態は、図４で説明される例示の無線ネットワークなどの無線ネットワークに関連して説明される。無線ネットワークは、１つまたは複数の無線デバイスに対して通信および他のタイプのサービスを提供してよく、無線デバイスが、無線ネットワークによって提供されるサービスまたは無線ネットワークを介して提供されるサービスにアクセスすることおよび／または使用することを容易にする。簡単さのために、図４の無線ネットワークが表すのは、ネットワーク４０６、ネットワークノード４６０および４６０ｂ、ＷＤ  ４１０、４１０ｂ、および４１０ｃのみである。実際には、無線ネットワークは、無線デバイス間の通信、または無線デバイスと、固定電話、ネットワークオペレータ、サービスプロバイダ、または任意の他のネットワークノードもしくはエンドデバイスなど別の通信デバイスとの間の通信をサポートするのに適切な任意の追加要素またはデバイスをさらに含み得���。異なる実施形態では、無線ネットワークは、任意数の有線または無線のネットワーク、ネットワークノード、基地局、コントローラ、無線デバイス、中継局、ならびに／あるいは、有線もしくは無線の接続を介したデータおよび／または信号の通信を容易にする、またはこれらに関与する、任意の他の構成要素またはシステムを備え得る。
【００３７】
無線ネットワークは、任意のタイプの通信、電気通信、データ、セルラー、および／または無線ネットワークもしくは類似のタイプのシステムを備えてよく、かつ／またはこれらとインターフェースをとってよい。いくつかの実施形態では、無線ネットワークは、特定の規格または他のタイプの所定のルールもしくはプロシージャによって動作するように設定され得る。したがって、無線ネットワークの特別な実施形態は、グローバル移動体通信システム（ＧＳＭ）、ユニバーサルモバイルテレコミュニケーションシステム（ＵＭＴＳ）、Ｌｏｎｇ  Ｔｅｒｍ  Ｅｖｏｌｕｔｉｏｎ（ＬＴＥ）、および／または他の適切な２Ｇ規格、３Ｇ規格、４Ｇ規格、もしくは５Ｇ規格、ＩＥＥＥ  ８０２．１１規格などの無線ローカルエリアネットワーク（ＷＬＡＮ）規格、ならびに／あるいはワイマックス（ＷｉＭａｘ）規格、Ｂｌｕｅｔｏｏｔｈ規格、Ｚ−Ｗａｖｅ規格および／またはＺｉｇＢｅｅ規格など任意の他の適切な無線通信規格などの通信規格を実施し得るものである。
【００３８】
ネットワーク４０６は、１つまたは複数のバックホールネットワーク、コアネットワーク、ＩＰネットワーク、公衆スイッチ電話ネットワーク（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、都市内ネットワーク、およびデバイス間の通信を可能にするための他のネットワークを含み得る。
【００３９】
図示された構成要素のうち、ネットワークノード４６０および無線デバイス（ＷＤ）４１０は付加的な詳細を伴って表されている。詳細には、ネットワークノード４６０およびＷＤ  ４１０は、以下でより詳細に説明される様々な構成要素を備える。これらの構成要素は、無線ネットワークにおいて無線接続をもたらすことなど、ネットワークノードおよび／または無線デバイスの機能をもたらすために連携してよい。
【００４０】
本明細書で使用されるように、ネットワークノードは、無線デバイスに対する無線アクセスを可能にするため、および／または無線アクセスをもたらすため、ならびに／あるいは無線ネットワークにおける他の機能（たとえば管理）を遂行するために、無線ネットワークにおける無線デバイスおよび／または他のネットワークノードもしくは機器と直接的または間接的に通信することができ、通信するように設定され、通信するように用意され、かつ／または通信するように動作可能な機器を指し得る。ネットワークノードの例には、それだけではないが、アクセスポイント（ＡＰ）（たとえば無線アクセスポイント）、基地局（ＢＳ）（たとえば無線基地局、ＮｏｄｅＢ、エボルブドＮｏｄｅＢ（ｅＮＢ）およびＮＲ  ＮｏｄｅＢ（ｇＮＢ））が含まれる。基地局は、提供するカバレッジの量（言い方を変えれば送信電力レベル）に基づいて分類され得て、フェムト基地局、ピコ基地局、マイクロ基地局、またはマクロ基地局とも称され得る。基地局は、中継を制御する中継ノードまたは中継ドナーノードでよい。ネットワークノードは、集中型デジタルユニット、および／またはリモート無線ヘッド（ＲＲＨ）と称されることもあるリモート無線ユニット（ＲＲＵ）など、分散型無線基地局の１つまたは複数の（あるいはすべての）部分も含み得る。そのようなリモート無線ユニットは、アンテナ一体型無線としてアンテナに組み込まれてよく、組み込まれなくてもよい。分散型無線基地局の一部分は、分散型アンテナシステム（ＤＡＳ）におけるノードと称されることもある。ネットワークノードのさらなる例には、ＭＳＲ  ＢＳなどのマルチスタンダード（ＭＳＲ）の無線設備、無線ネットワークコントローラ（ＲＮＣ）または基地局コントローラ（ＢＳＣ）などのネットワークコントローラ、ベーストランシーバ局（ＢＴＳ）、送信ポイント、送信ノード、マルチセル／マルチキャスト協調エンティティ（ＭＣＥ）、コアネットワークノード（たとえばＭＳＣ、ＭＭＥ）、Ｏ＆Ｍノード、ＯＳＳノード、ＳＯＮノード、測位ノード（たとえばＥ−ＳＭＬＣ）、および／またはＭＤＴが含まれる。別の例として、ネットワークノードは、以下でより詳細に説明されるような仮想ネットワークノードでよい。しかしながら、より一般的には、ネットワークノードは、無線デバイスに対して無線ネットワークへのアクセスを可能にし、かつ／または提供する、あるいは無線ネットワークにアクセスした無線デバイスに対していくつかのサービスを提供することができ、提供するように設定され、提供するように構成され、かつ／または提供するように動作可能な任意の適切なデバイス（またはデバイスのグループ）を表現し得る。
【００４１】
図４に図示されるように、ネットワークノード４６０は、処理サーキットリ４７０、デバイス可読媒体４８０、インターフェース４９０、補機４８４、電源４８６、電力サーキットリ４８７、およびアンテナ４６２を含む。図４の例示の無線ネットワークに図示されたネットワークノード４６０は、ハードウェア構成要素の図示された組合せを含むデバイスを表現し得るものであるが、他の実施形態は、構成要素の異なる組合せのネットワークノードを備え得る。ネットワークノードは、図示の構成要素に限定されることなく、本明細書で開示されたタスク、特徴、機能および方法を遂行するのに必要なハードウェアおよび／またはソフトウェアの任意の適切な組合せを備えることを理解されたい。その上に、ネットワークノード４６０の構成要素は、より大きなボックスの内部に配置された単一のボックスとして表されているかまたは複数のボックスの内部にネストにされているが、実際には、ネットワークノードは、図示された単一の構成要素を構成する複数の異なる物理的構成要素を備え得る（たとえば、デバイス可読媒体４８０は複数の別個のハードドライブならびに複数のＲＡＭモジュールを備え得る）。
【００４２】
同様に、ネットワークノード４６０は、複数の物理的に別個の構成要素（たとえばＮｏｄｅＢ構成要素およびＲＮＣ構成要素、あるいはＢＴＳ構成要素およびＢＳＣ構成要素など）から成り得る。それぞれの別個の構成要素が、それ自体のそれぞれの構成要素を有し得る。ネットワークノード４６０が複数の別個の構成要素（たとえばＢＴＳ構成要素およびＢＳＣ構成要素）を備える一定のシナリオでは、別個の構成要素のうち１つまたは複数がいくつかのネットワークノードの間で共有され得る。たとえば、単一のＲＮＣが複数のＮｏｄｅＢを制御してよい。そのようなシナリオでは、固有のＮｏｄｅＢとＲＮＣの対のそれぞれが、いくつかの事例では単一の別個のネットワークノードと考えられ得る。いくつかの実施形態では、ネットワークノード４６０は、複数の無線アクセス技術（ＲＡＴ）をサポートするように設定され得る。そのような実施形態では、いくつかの構成要素は二重（たとえば異なるＲＡＴ用の別個のデバイス可読媒体４８０）にされてよく、いくつかの構成要素は再利用されてよい（たとえばＲＡＴによって同一のアンテナ４６２が共有され得る）。ネットワークノード４６０は、たとえばＧＳＭ、ＷＣＤＭＡ、ＬＴＥ、ＮＲ、Ｗｉ−Ｆｉ、またはＢｌｕｅｔｏｏｔｈ無線技術など、ネットワークノード４６０に一体化された異なる無線技術のための様々な図示された構成要素の複数のセットも含み得る。これらの無線技術は、同一のチップもしくは別々のチップまたはチップのセットおよびネットワークノード４６０の内部の他の構成要素に組み込まれ得る。
【００４３】
処理サーキットリ４７０は、本明細書でネットワークノードによってもたらされる動作として説明されたあらゆる判定する動作、計算する動作、または類似の動作（たとえば一定の取得する動作）を遂行するように設定されている。処理サーキットリ４７０によって遂行される動作は、処理サーキットリ４７０によって得られた情報をたとえば他の情報に変換することによって得られた情報を処理すること、得られた情報または変換後の情報をネットワークノードに記憶された情報と比較すること、ならびに／あるいは得られた情報または変換後の情報に基づいて１つまたは複数の動作を遂行し、前記処理の結果として判定することを含み得る。
【００４４】
処理サーキットリ４７０は、マイクロプロセッサ、コントローラ、マイクロコントローラ、中央処理装置、デジタル信号プロセッサ、特定用途向け集積回路、フィールドプログラマブルゲートアレイ、もしくは任意の他の適切なコンピュータデバイス、リソースのうち１つまたは複数の組合せ、あるいは、単独で、またはデバイス可読媒体４８０などネットワークノード４６０の他の構成要素と併せて、ネットワークノード４６０の機能性をもたらすように動作可能なハードウェア、ソフトウェアおよび／または符号化されたロジックの組合せを備え得る。たとえば、処理サーキットリ４７０は、デバイス可読媒体４８０または処理サーキットリ４７０の内部のメモリに記憶された命令を実行し得る。そのような機能性には、本明細書で論じた様々な無線の特徴、機能、または利点のうち任意のものをもたらすことが含まれ得る。いくつかの実施形態では、処理サーキットリ４７０はシステムオンチップ（ＳＯＣ）を含み得る。
【００４５】
いくつかの実施形態では、処理サーキットリ４７０は、無線周波数（ＲＦ）トランシーバサーキットリ４７２およびベースバンド処理サーキットリ４７４のうち１つまたは複数を含み得る。いくつかの実施形態では、無線周波数（ＲＦ）トランシーバサーキットリ４７２およびベースバンド処理サーキットリ４７４は、別個のチップ（またはチップのセット）上、基板上、または無線ユニットおよびデジタルユニットなどのユニット上に存在し得る。代替実施形態では、ＲＦトランシーバサーキットリ４７２およびベースバンド処理サーキットリ４７４の一部分またはすべてが、同一のチップまたはチップのセット上、基板上、またはユニット上に存在し得る。
【００４６】
ある実施形態では、ネットワークノード、基地局、ｅＮＢ、または他のそのようなネットワークデバイスによってもたらされるものとして本明細書で説明された機能性のいくつかまたはすべては、デバイス可読媒体４８０または処理サーキットリ４７０の内部のメモリに記憶された命令を実行する処理サーキットリ４７０によって遂行されてよい。代替実施形態では、機能性のうちいくつかまたはすべてが、処理サーキットリ４７０によって、別個の、すなわち離散型のデバイス可読媒体に記憶された命令を実行することなく、配線接続のやり方などでもたらされ得る。それらの実施形態のあらゆるものにおいて、デバイス可読記憶媒体に記憶された命令の実行の有無にかかわらず、処理サーキットリ４７０は、説明された機能性を遂行するように設定され得る。そのような機能性によって提供される利益を享受するのは、単体の処理サーキットリ４７０またはネットワークノード４６０の他の構成要素に限定されず、一般に、全体としてのネットワークノード４６０ならびに／あるいはエンドユーザおよび無線ネットワークである。
【００４７】
デバイス可読媒体４８０は、持続性の記憶機構、ソリッドステートメモリ、遠隔の記憶装置、磁気媒体、光媒体、ランダムアクセスメモリ（ＲＡＭ）、読取り専用メモリ（ＲＯＭ）、大容量記憶媒体（たとえばハードディスク）、取外し可能記憶媒体（たとえばフラッシュドライブ、コンパクトディスク（ＣＤ）またはデジタルビデオディスク（ＤＶＤ））、ならびに／あるいは任意の他の揮発性または不揮発性の、非一時的な、デバイス可読かつ／または情報、データ、および／または処理サーキットリ４７０によって使用され得る命令を記憶するコンピュータ実行可能な記憶デバイスを制限なく含む、任意の形式の揮発性または不揮発性のコンピュータ可読記憶装置を備え得る。デバイス可読媒体４８０は、ロジック、ルール、コード、表などのうち１つまたは複数を含むコンピュータプログラム、ソフトウェア、アプリケーション、および／または処理サーキットリ４７０によって実行され得てネットワークノード４６０によって利用される他の命令を含む、任意の適切な命令、データまたは情報を記憶し得る。デバイス可読媒体４８０は、処理サーキットリ４７０による任意の演算および／またはインターフェース４９０を介して受信された任意のデータを記憶するように使用され得る。いくつかの実施形態では、処理サーキットリ４７０とデバイス可読媒体４８０が一体化されるように考えられてよい。
【００４８】
インターフェース４９０は、ネットワークノード４６０、ネットワーク４０６、および／またはＷＤ  ４１０との間のシグナリングおよび／またはデータの有線もしくは無線の通信において使用され得る。図示のように、インターフェース４９０は、たとえばネットワーク４０６との間で有線接続を通じてデータを送受信するためのポート（複数可）／端末（複数可）４９４を備える。インターフェース４９０には、アンテナ４６２に結合され得る、またはある実施形態ではアンテナ４６２の一部分であり得る、無線フロントエンドサーキットリ４９２も含まれる。無線フロントエンドサーキットリ４９２はフィルタ４９８および増幅器４９６を備える。無線フロントエンドサーキットリ４９２は、アンテナ４６２および処理サーキットリ４７０に接続され得る。無線フロントエンドサーキットリ４９２は、アンテナ４６２と処理サーキットリ４７０の間で通信される信号を調整するように設定されてよい。無線フロントエンドサーキットリ４９２が受信し得るデジタルデータは、無線接続を通じて他のネットワークノードまたはＷＤに送られるものである。無線フロントエンドサーキットリ４９２は、フィルタ４９８および／または増幅器４９６の組合せを使用して、デジタルデータを、適切なチャネルおよび帯域幅のパラメータを有する無線信号に変換してよい。次いで、無線信号は、アンテナ４６２を通じて送信されてよい。同様に、データを受信するときには、アンテナ４６２によって収集された無線信号が無線フロントエンドサーキットリ４９２によってデジタルデータに変換される。デジタルデータは処理サーキットリ４７０に渡され得る。他の実施形態では、インターフェースは、異なる構成要素および／または異なる構成要素の組合せを備え得る。
【００４９】
ある実施形態では、ネットワークノード４６０は別個の無線フロントエンドサーキットリ４９２を含まなくてよく、代わりに、処理サーキットリ４７０が、無線フロントエンドサーキットリを備えて、別個の無線フロントエンドサーキットリ４９２を伴わないアンテナ４６２に接続され得る。同様に、いくつかの実施形態では、ＲＦトランシーバサーキットリ４７２のいくつかまたはすべてがインターフェース４９０の一部分と考えられ得る。さらに別の実施形態では、インターフェース４９０が、無線ユニット（図示せず）の一部分として、１つまたは複数のポートまたは端末４９４、無線フロントエンドサーキットリ４９２、およびＲＦトランシーバサーキットリ４７２を含んでよく、インターフェース４９０は、デジタルユニット（図示せず）の一部分であるベースバンド処理サーキットリ４７４と通信し得る。
【００５０】
アンテナ４６２は１つまたは複数のアンテナまたはアンテナアレイを含み得、無線信号を送信／受信するように設定されている。アンテナ４６２はデータおよび／または信号を無線で送受信可能な任意のタイプのアンテナでよく、無線フロントエンドサーキットリ４９０に結合され得る。いくつかの実施形態では、アンテナ４６２は、たとえば２ＧＨｚ〜６６ＧＨｚの無線信号を送信／受信するように動作可能な１つまたは複数の全方向アンテナ、セクタアンテナ、またはパネルアンテナを備え得る。全方向アンテナは任意の方向の無線信号を送信／受信するように使用されてよく、セクタアンテナは特別な領域内のデバイスから無線信号を送信／受信するように使用されてよく、パネルアンテナは、比較的直線の無線信号を送信／受信するために使用される視線アンテナでよい。いくつかの事例では、複数のアンテナを使用することはＭＩＭＯと称され得る。ある実施形態では、アンテナ４６２はネットワークノード４６０から分離されてよく、インターフェースまたはポートを介してネットワークノード４６０に接続可能であり得る。
【００５１】
アンテナ４６２、インターフェース４９０、および／または処理サーキットリ４７０は、本明細書においてネットワークノードが遂行するものとして説明されたあらゆる受信動作および／または一定の取得動作を遂行するように設定され得る。任意の情報、データおよび／または信号が、無線デバイス、別のネットワークノードおよび／または任意の他のネットワーク機器から受信され得る。同様に、アンテナ４６２、インターフェース４９０、および／または処理サーキットリ４７０は、本明細書においてネットワークノードが遂行するものとして説明されたあらゆる送信動作を遂行するように設定され得る。任意の情報、データおよび／または信号が、無線デバイス、別のネットワークノードおよび／または任意の他のネットワーク機器に送信され得る。
【００５２】
電力サーキットリ４８７は、電力管理サーキットリを備えてよく、または電力管理サーキットリに結合されてもよく、ネットワークノード４６０の構成要素に、本明細書で説明された機能性を遂行するための電力を供給するように設定されている。電力サーキットリ４８７は電源４８６から電力を受け取り得る。電源４８６および／または電力サーキットリ４８７は、ネットワークノード４６０の様々な構成要素に対して、それぞれの構成要素にとって適切な形態で（たとえば各それぞれの構成要素向けに、必要な電圧および電流のレベルで）電力を供給するように設定され得る。電源４８６は、電力サーキットリ４８７および／またはネットワークノード４６０に含まれてよく、または外部にあってもよい。たとえば、ネットワークノード４６０は、入力サーキットリまたは電気ケーブルなどのインターフェースを介して外部電源（たとえば電力コンセント）に接続可能でよく、それによって外部電源が電力サーキットリ４８７に電力を供給する。さらなる例として、電源４８６は、電力サーキットリ４８７に接続されているかまたは組み込まれているバッテリーまたはバッテリーパックの形態の電力源を備え得る。バッテリーは、万一外部電源が役に立たないときバックアップ電力を供給し得る。光起電力デバイスなど他のタイプの電源も使用され得る。
【００５３】
ネットワークノード４６０の代替実施形態に含まれ得る、図４に示されたもの以上のさらなる構成要素は、本明細書で説明された機能性のうち任意のものおよび／または本明細書で説明された内容をサポートするのに必要なあらゆる機能性を含めて、ネットワークノードの機能性の一定の態様をもたらすことを担い得るものである。たとえば、ネットワークノード４６０には、ネットワークノード４６０への情報の入力を可能にし、かつネットワークノード４６０からの情報の出力を可能にするためのユーザインターフェース機器が含まれ得る。これによって、ユーザは、ネットワークノード４６０に対する診断、メンテナンス、修理、および他の管理機能を遂行することができる。
【００５４】
本明細書で使用されるように、無線デバイス（ＷＤ）は、ネットワークノードおよび／または他の無線デバイスと、無線通信することが可能な、無線通信するように設定された、無線通信するように用意された、かつ／または無線通信するように動作可能なデバイスを指し得る。ＷＤという用語は、本明細書では、他に断らない限りユーザ機器（ＵＥ）と区別なく使用され得るものである。無線で通信することは、電磁気、電波、赤外線波、および／または空中の情報伝達に適切な他のタイプの信号を使用して、無線信号を送信／受信することを包含し得る。いくつかの実施形態では、ＷＤは、人間との直接的な相互作用なしで情報を送信および／または受信するように設定され得る。たとえば、ＷＤは、内部または外部のイベントによって起動されたとき、またはネットワークからの要求に応答して、所定のスケジュールに基づき、ネットワークへ情報を送信するように設計され得る。ＷＤの例は、それだけではないが、スマートフォン、携帯電話、セル式電話、ボイスオーバＩＰ（ＶｏＩＰ）フォン、無線ローカルループフォン、デスクトップコンピュータ、携帯情報端末（ＰＤＡ）、無線カメラ、ゲームコンソールすなわちゲームデバイス、音楽記憶デバイス、再生機器、ウェアラブル端末デバイス、無線エンドポイント、モバイルステーション、タブレット、ノートパソコン、ノートパソコンに組み込まれた機器（ＬＥＥ）、ノートパソコンを取り付けた機器（ＬＭＥ）、スマートデバイス、無線の顧客構内機器（ＣＰＥ）、車載無線端末デバイスなどを含む。ＷＤは、たとえば、サイドリンク通信のための３ＧＰＰ規格、車両間（Ｖ２Ｖ）通信、車両対インフラストラクチュア（Ｖ２Ｉ）通信、車両対すべてのもの（Ｖ２Ｘ）の通信を実施することによってデバイス対デバイス（Ｄ２Ｄ）通信をサポートし得、この場合Ｄ２Ｄ通信デバイスと称され得る。もう１つの具体例として、モノのインターネット（ＩｏＴ）のシナリオでは、ＷＤは、監視および／または測定を遂行してそのような監視および／または測定の結果を別のＷＤおよび／またはネットワークノードに送信する、マシンまたは他のデバイスを表し得る。ＷＤは、この場合マシン対マシン（Ｍ２Ｍ）デバイスでよく、３ＧＰＰの状況ではＭＴＣデバイスと称され得る。特別な例の１つとして、ＷＤは、３ＧＰＰの狭帯域のモノのインターネット規格（ＮＢ−ＩｏＴ）を実施するＵＥでよい。そのようなマシンまたはデバイスの特別な例には、センサ、電力計、工業用機械などの計量デバイス、または家庭用機器もしくは個人用機器（たとえば冷蔵庫、テレビなど）、個人用ウェアラブル（たとえば腕時計、フィットネストラッカなど）がある。他のシナリオでは、ＷＤは、それ自体の運転状態もしくは動作に関連した他の機能について報告することおよび／または監視することが可能な車両または他の機器を表し得る。上記で説明されたようなＷＤは無線接続のエンドポイントを表してよく、その場合にはデバイスは無線端末と称され得る。その上、上記で説明されたようなＷＤは可動性でよい。
【００５５】
図示されたように、無線デバイス４１０は、アンテナ４１１、インターフェース４１４、処理サーキットリ４２０、デバイス可読媒体４３０、ユーザインターフェース機器４３２、補機４３４、電源４３６および電力サーキットリ４３７を含む。ＷＤ  ４１０は、少し例を挙げるだけでも、たとえばＧＳＭ、ＷＣＤＭＡ、ＬＴＥ、ＮＲ、Ｗｉ−Ｆｉ、ＷｉＭＡＸ、またはＢｌｕｅｔｏｏｔｈ無線技術など、ＷＤ  ４１０によってサポートされる種々の無線技術用の図示された１つまたは複数の構成要素の複数のセットを含み得る。これらの無線技術は、ＷＤ  ４１０の内部の他の構成要素として、同一のチップもしくは別々のチップまたはチップのセットに組み込まれ得るものである。
【００５６】
アンテナ４１１に含まれ得る１つまたは複数のアンテナまたはアンテナアレイは、無線信号を送り、かつ／または受信するように設定されてインターフェース４１４に接続されている。ある代替実施形態では、アンテナ４１１はＷＤ  ４１０から分離されてよく、インターフェースまたはポートを介してＷＤ  ４１０に接続可能であり得る。アンテナ４１１、インターフェース４１４、および／または処理サーキットリ４２０は、本明細書においてＷＤが遂行するものとして説明されたあらゆる受信動作または送信動作を遂行するように設定され得る。任意の情報、データおよび／または信号が、ネットワークノードおよび／または別のＷＤから受信され得る。いくつかの実施形態では、無線フロントエンドサーキットリおよび／またはアンテナ４１１はインターフェースと見なされてよい。
【００５７】
図示のように、インターフェース４１４は無線フロントエンドサーキットリ４１２およびアンテナ４１１を備える。無線フロントエンドサーキットリ４１２は、１つまたは複数のフィルタ４１８および増幅器４１６を備える。無線フロントエンドサーキットリ４１４は、アンテナ４１１および処理サーキットリ４２０に接続されており、アンテナ４１１と処理サーキットリ４２０の間で通信される信号を調整するように設定されている。無線フロントエンドサーキットリ４１２は、アンテナ４１１に結合されてよく、またはアンテナ４１１の一部分でもよい。いくつかの実施形態では、ＷＤ  ４１０は、別個の無線フロントエンドサーキットリ４１２を含まなくてよく、むしろ、処理サーキットリ４２０が無線フロントエンドサーキットリを備えてアンテナ４１１に接続され得る。同様に、いくつかの実施形態では、ＲＦトランシーバサーキットリ４２２のいくつかまたはすべてがインターフェース４１４の一部分と見なされ得る。無線フロントエンドサーキットリ４１２が受信し得るデジタルデータは、無線接続を通じて他のネットワークノードまたはＷＤに送られるものである。無線フロントエンドサーキットリ４１２は、フィルタ４１８および／または増幅器４１６の組合せを使用して、デジタルデータを、適切なチャネルおよび帯域幅のパラメータを有する無線信号に変換してよい。次いで、無線信号は、アンテナ４１１を通じて送信されてよい。同様に、データを受信するときには、アンテナ４１１によって収集された無線信号が無線フロントエンドサーキットリ４１２によってデジタルデータに変換される。デジタルデータは処理サーキットリ４２０に渡され得る。他の実施形態では、インターフェースは、異なる構成要素および／または異なる構成要素の組合せを備え得る。
【００５８】
無線インターフェース４１４の構成要素は、第１の数のビームを検知するために使用され得る。ビームはネットワークノード４６０および／またはネットワークノード４６０ｂによって供給され得る。ビームは１つのセルまたは複数のセルに関連づけられ得る。ビームはＳＳブロックバーストセットの一部分でよい。無線インターフェース４１４は、ネットワークノード４６０に測定報告を送信するようにも設定され得る。測定報告は、ビームの報告設定に依拠して、セルの品質値、ビームの測定情報または両方を含み得る。
【００５９】
処理サーキットリ４２０は、マイクロプロセッサ、コントローラ、マイクロコントローラ、中央処理装置、デジタル信号プロセッサ、特定用途向け集積回路、フィールドプログラマブルゲートアレイ、もしくは任意の他の適切なコンピュータデバイス、リソースのうち、１つまたは複数の組合せ、あるいは、単独で、またはデバイス可読媒体４３０などＷＤ  ４１０の他の構成要素と併せて、ＷＤ  ４１０の機能性をもたらすように動作可能なハードウェア、ソフトウェアおよび／または符号化されたロジックの組合せを備え得る。そのような機能性には、本明細書で論じた様々な無線の特徴または利点のうち任意のものをもたらすことが含まれ得る。たとえば、処理サーキットリ４２０は、デバイス可読媒体４３０または処理サーキットリ４２０の内部のメモリに記憶された命令を実行して、本明細書で開示された機能性をもたらし得る。
【００６０】
図示のように、処理サーキットリ４２０は、ＲＦトランシーバサーキットリ４２２、ベースバンド処理サーキットリ４２４、およびアプリケーション処理サーキットリ４２６のうち１つまたは複数を含む。他の実施形態では、処理サーキットリは、異なる構成要素および／または異なる構成要素の組合せを備え得る。ある実施形態では、ＷＤ  ４１０の処理サーキットリ４２０はＳＯＣを備え得る。いくつかの実施形態では、ＲＦトランシーバサーキットリ４２２、ベースバンド処理サーキットリ４２４、およびアプリケーション処理サーキットリ４２６は、別個のチップ上またはチップのセット上に存在してよい。代替実施形態では、ベースバンド処理サーキットリ４２４およびアプリケーション処理サーキットリ４２６の一部分またはすべてが、１つのチップまたはチップのセットへと組み合わされてよく、ＲＦトランシーバサーキットリ４２２は別個のチップ上またはチップのセット上に存在してよい。さらなる代替実施形態では、ＲＦトランシーバサーキットリ４２２およびベースバンド処理サーキットリ４２４の一部分またはすべてが、同一のチップ上またはチップのセット上に存在してよく、アプリケーション処理サーキットリ４２６は別個のチップ上またはチップのセット上に存在してよい。さらに別の代替実施形態では、ＲＦトランシーバサーキットリ４２２、ベースバンド処理サーキットリ４２４、およびアプリケーション処理サーキットリ４２６の一部分またはすべてが、同一のチップまたはチップのセットにおいて組み合わされてよい。いくつかの実施形態では、ＲＦトランシーバサーキットリ４２２はインターフェース４１４の一部分でよい。ＲＦトランシーバサーキットリ４２２は、処理サーキットリ４２０向けにＲＦ信号を調整し得る。
【００６１】
ある実施形態では、本明細書でＷＤが遂行するものとして説明された機能性のいくつかまたはすべてが、ある実施形態ではコンピュータ可読記憶媒体であり得るデバイス可読媒体４３０に記憶された命令を実行する処理サーキットリ４２０によってもたらされ得る。代替実施形態では、機能性のうちいくつかまたはすべてが、処理サーキットリ４２０によって、別個のデバイスすなわち離散デバイスに可読の記憶媒体に記憶された命令を実行することなく、配線接続のやり方などで提供され得る。それらの特別な実施形態のあらゆるものにおいて、デバイス可読記憶媒体に記憶された命令の実行の有無にかかわらず、処理サーキットリ４２０は説明された機能性を遂行するように設定され得る。そのような機能性によって提供される利益を享受するのは、単体の処理サーキットリ４２０またはＷＤ  ４１０の他の構成要素に限定されず、一般に、全体としてのＷＤ  ４１０ならびに／あるいはエンドユーザおよび無線ネットワークである。
【００６２】
処理サーキットリ４２０は、本明細書でＷＤによって遂行される動作として説明されたあらゆる判定する動作、計算する動作、または類似の動作（たとえば一定の取得する動作）を遂行するように設定され得る。処理サーキットリ４２０によって遂行されるこれらの動作は、処理サーキットリ４２０によって得られた情報をたとえば他の情報に変換することによって得られた情報を処理すること、得られた情報または変換後の情報をＷＤ  ４１０に記憶された情報と比較すること、ならびに／あるいは得られた情報または変換後の情報に基づいて１つまたは複数の動作を遂行し、前記処理の結果として判定することを含み得る。
【００６３】
ある実施形態では、処理サーキットリ４２０は、無線インターフェース４１４によって検知されたビームのうちすべてのまたはいくつかの、１つまたは複数の特性を測定し得る。ビームの特定の測定はＳＩＮＲおよび／またはＲＳＲＰの計算を含み得る。次いで、これらの測定結果は、Ｌ１およびＬ３によって別個に使用され得る。詳細には、Ｌ１はビームの測定結果を使用してセルの品質値を導出し得る。セルの品質値は、そのセルに関する様々な測定されたビームの組合せを表す値である。たとえば、セルの品質値は、セルに関連するすべての測定されたビームの平均測定値に基づき得る。注目すべきは、Ｌ１の処理は、セルの品質値がどのように判定されたかということに関する詳細をもたらさない。すなわち、ビームの数、ビームのアイデンティティ、個別ビームの個別の値は、すべてがセルの品質値から失われ、すなわち欠落する。他方では、Ｌ３の処理は、個別ビームの測定結果を保持し、そこで、様々な異なるタイプの付加情報を供給することができる。たとえばビームのアイデンティティ、ビームに関する統計、ビームに関する履歴データ、個別のビーム値、ビームのスナップショットなど。
【００６４】
次いで、処理サーキットリ４２０は、Ｌ１の処理および／またはＬ３の処理の結果を使用して測定報告を生成し得る。すなわち、処理サーキットリは、ビームの測定情報および／またはセルの品質情報を有する測定報告を生成し得る。測定報告の内容は、ビームの報告設定の情報に基づき得る。いくつかのシナリオでは、ビームの報告設定は、ネットワークノード４６０から無線インターフェース４１４を通じて受信されてよい。たとえば、測定報告は、ネットワークノードによって、セルの品質値とセルの品質値を導出するために使用された各ビームのアイデンティティとを含むか、またはセルの品質値とセルの品質値を導出するために使用された個別ビームの値とを含むように規定され得る。いくつかの実施形態では、ビームの報告設定は事前に決定されるかまたは事前に構成されてよく、デバイス可読媒体４３０によって記憶され得る。
【００６５】
処理サーキットリ４２０は、セルの品質およびビームの測定情報を判定するために、実施形態、シナリオ、および／または報告設定に依拠して、同一のビーム測定値または異なるビーム測定値を使用してよい。たとえば、処理サーキットリ４２０は、セルの品質値を判定するとき、無線インターフェース４１４によって検知されたビームのうちＸの最良のビームまたはすべてのビームを使用してよい。処理サーキットリは、ビームの測定情報を判定するとき、セルの品質値用に使用されたビームに関連した情報を使用してよく、セルの品質値が判定されたセルに関連した履歴の情報または傾向を使用してよく、セルの品質値用に使用されたビームのサブセット（たとえば最良、最悪など）を使用してよく、または、そのような使用が明白な他のものを使用してもよい。いくつかの実施形態では、それぞれの測定報告が特別なセルに関連づけられ得る。したがって、セルの品質情報は、他のセルからのビームが検知されたとしても特別なセルに関するものであり得、ビームの測定情報はその特別なセルに関連したビームに基づくものであり得る。ビームの測定情報およびセルの品質値は、シナリオに依拠して、単一の測定報告で一緒に供給されてよく、または異なる測定報告で別個に供給されてもよい。場合によっては、セルの品質値のみを伴う１つまたは複数の測定報告が、ビームの測定情報（またはビームの測定情報およびセルの品質値）を伴う測定報告の間に送られてもよい。
【００６６】
処理サーキットリ４２０は、実施形態、シナリオ、および／または報告設定に依拠して、様々な異なるやり方でビームの特定の測定値を管理してよい。処理サーキットリ４２０は、ビームの特定の測定値を、いつでも測定報告で供給し得るように管理してよい。これは、ビームの測定情報を伴う測定報告を要求する起動がさらに生じるまでビーム測定値を管理することを包含し得る。これは、供給されるビーム測定値を、各測定報告において管理すること、またはＸ（Ｘは整数）ごとの測定報告において管理することを包含し得る（たとえば５つごとの測定報告がビームの測定情報を含有し得る）。いくつかの実施形態では、処理サーキットリは、これらの値をデバイス可読媒体４３０に記憶してよい。処理サーキットリは、測定報告用に準備される情報のタイプも管理してよい。たとえば、処理サーキットリは、セルの品質報告の一部分である識別子を含み得、または、識別子と、セルの品質値用に使用されたビームに関する対応する関連したビーム測定値とを含み得る。
【００６７】
いくつかの実施形態では、ビームの測定情報は、処理サーキットリ４２０によって行われるＬ３の処理によって判定され得る。Ｌ３の処理は、Ｌ３が受信する１つまたは複数の測定された特性のＬ３のフィルタリングを包含し得る。たとえば、いくつかの実施形態では、ＯＵＴＰＵＴ（ｎ）＝ａｌｐｈａ×ｓａｍｐｌｅ（ｎ）＋（１−ａｌｐｈａ）×ＯＵＴＰＵＴ（ｎ−１）といった時間領域のフィルタリングが適用され得、ａｌｐｈａは、ＲＲＣプロトコル層とも称されるＬ３によって設定される。
【００６８】
デバイス可読媒体４３０は、ロジック、ルール、コード、表などのうち１つまたは複数を含むアプリケーション、コンピュータプログラム、ソフトウェア、および／または処理サーキットリ４２０によって実行され得る他の命令を記憶するように動作し得る。デバイス可読媒体４３０には、コンピュータメモリ（たとえばランダムアクセスメモリ（ＲＡＭ）または読取り専用メモリ（ＲＯＭ））、大容量記憶媒体（たとえばハードディスク）、取外し可能記憶媒体（たとえばコンパクトディスク（ＣＤ）またはデジタルビデオディスク（ＤＶＤ））、ならびに／あるいは情報、データ、および／または処理回路４２０によって使用され得る命令を記憶する、任意の他の揮発性または不揮発性の、非一時的な、デバイス可読および／またはコンピュータ実行可能の記憶デバイスが含まれ得る。いくつかの実施形態では、処理サーキットリ４２０とデバイス可読媒体４３０を一体化するように考えられてよい。
【００６９】
ユーザインターフェース機器４３２は、人間のユーザがＷＤ  ４１０と相互作用することを可能にする構成要素をもたらし得る。そのような相互作用は、視覚、聴覚、触覚など多くの形態であり得る。ユーザインターフェース機器４３２は、ユーザに対して出力を生成し、ユーザがＷＤ  ４１０に入力を供給することを可能にするように動作可能であり得る。相互作用のタイプは、ＷＤ  ４１０にインストールされたユーザインターフェース機器４３２のタイプに依拠して変化し得る。たとえば、ＷＤ  ４１０がスマートフォンであれば、相互作用はタッチスクリーンを介するものであり得、ＷＤ  ４１０がスマートメータであれば、相互作用は、使用量（たとえば使用されたガロン数）を与えるスクリーン、または（たとえば煙が検知された場合に）音響の警報をもたらすスピーカによるものであり得る。ユーザインターフェース機器４３２は、入力のインターフェース、デバイスおよび回路、ならびに出力のインターフェース、デバイスおよび回路を含み得る。ユーザインターフェース機器４３２は、ＷＤ  ４１０への情報の入力を可能にするように設定されて処理サーキットリ４２０に接続され、処理サーキットリ４２０が入力情報を処理することを可能にする。ユーザインターフェース機器４３２は、たとえばマイクロフォン、近接センサまたは他のセンサ、キー／ボタン、タッチディスプレイ、１つまたは複数のカメラ、ＵＳＢポート、または他の入力サーキットリを含み得る。ユーザインターフェース機器４３２は、ＷＤ  ４１０から情報を出力することを可能にし、処理サーキットリ４２０がＷＤ  ４１０から情報を出力することを可能にするようにも設定されている。ユーザインターフェース機器４３２は、たとえばスピーカ、表示器、振動サーキットリ、ＵＳＢポート、ヘッドフォンインターフェースまたは他の出力サーキットリを含み得る。ＷＤ  ４１０は、ユーザインターフェース機器４３２の１つまたは複数の入力および出力のインターフェースと、デバイスと、回路とを使用して、エンドユーザおよび／または無線ネットワークと通信し、これらが本明細書で説明された機能性から利益を得ることを可能にし得る。
【００７０】
補機４３４は、ＷＤによって一般に遂行され得ない、より特殊な機能性をもたらすように動作可能である。これは、様々な目的で測定するための特化されたセンサ、有線通信などの追加のタイプの通信用インターフェースを備え得る。補機４３４の構成要素の含有およびタイプは、実施形態および／またはシナリオに依拠して異なり得る。
【００７１】
電源４３６は、いくつかの実施形態ではバッテリーまたはバッテリーパックの形態でよい。外部電源（たとえば電気のコンセント）、光起電力デバイスまたは動力電池など他のタイプの電源も使用され得る。ＷＤ  ４１０がさらに備える電力サーキットリ４３７は、本明細書で説明または指示された何らかの機能性を実行するのに電源４３６からの電力を必要とするＷＤ  ４１０の様々な部品に電源４３６からの電力を配送するためのものである。電力サーキットリ４３７は、ある実施形態では電力管理サーキットリを備え得る。電力サーキットリ４３７は、それに加えて、またはその代わりに、外部電源から電力を受け取るように動作可能であり、その場合、ＷＤ  ４１０は、入力サーキットリまたは電力ケーブルなどのインターフェースを介して外部電源（電気のコンセントなど）に接続可能でよい。電力サーキットリ４３７は、ある実施形態では、外部電源からの電力を電源４３６に配送するように動作可能であり得る。これは、たとえば電源４３６を充電するためでよい。電力サーキットリ４３７は、電力を、電力が供給されるＷＤ  ４１０のそれぞれの構成要素向けに適切なものにするために、電源４３６との間でやり取りする電力に対して、何らかのフォーマッティング、変換、または他の変更を遂行してよい。
【００７２】
ある実施形態の様々な特徴および機能性の前述の説明は、簡単さのために、図４に図示された構成要素に的を絞ったものであった。しかしながら、見てすぐ分かるように、上記で説明された特徴および機能性は、図５および図６に図示されたものを含む他の実施形態にも同様に適用可能である。それゆえに、図５および図６に図示された構成要素は、簡単さのために、図４に関して上記で説明された特徴または機能性のうち任意のものを提供するように容易に適合可能であると一般に理解されるように説明される。
【００７３】
図５は、本明細書で説明された様々な態様によるＵＥの一実施形態を図示するものである。本明細書で使用されるように、ユーザ機器すなわちＵＥには、必ずしも、関連するデバイスを所有しかつ／または操作する人間のユーザの意味でのユーザが存在するわけではない。代わりに、ＵＥは、人間のユーザに販売するように、または操作されるように意図されたデバイスを表現し得るが、（最初は）特定の人間のユーザに関連づけられなくてよい（たとえばスマート散水車コントローラ）。あるいは、ＵＥは、エンドユーザに販売するように、または操作されるようには意図されていないデバイスを表現し得るが、ユーザに関連づけられるかまたはユーザのために動作してよい（たとえばスマート電力計）。ＵＥ  ５００は、第３世代パートナーシッププロジェクト（３ＧＰＰ）によって識別された任意のＵＥでよく、ＮＢ−ＩｏＴ  ＵＥ、マシンタイプ通信（ＭＴＣ）ＵＥ、および／または拡張ＭＴＣ（ｅＭＴＣ）ＵＥを含む。ＵＥ  ５００は、図５に図示されるようにＷＤの一例であり、３ＧＰＰのＧＳＭ、ＵＭＴＳ、ＬＴＥ、など第３世代パートナーシッププロジェクト（３ＧＰＰ）によって公布された１つまたは複数の通信規格および／または５Ｇ規格による通信用に設定されている。前述のように、ＷＤという用語とＵＥという用語は交換可能に使用され得る。それゆえに、図５はＵＥであるが、本明細書で論じられる構成要素はＷＤにも同様に適用可能であり、逆の場合も同じである。
【００７４】
図５において、ＵＥ  ５００は、入出力インターフェース５０５に対して動作可能に結合された処理サーキットリ５０１、無線周波数（ＲＦ）インターフェース５０９、ネットワーク接続インターフェース５１１、記憶装置５１５（ランダムアクセスメモリ（ＲＡＭ）５１７、読取り専用メモリ（ＲＯＭ）５１９、記憶媒体５２１などを含む）、通信サブシステム５３１、電源５３３、および／または任意の他の構成要素、あるいはそれらの任意の組合せを含む。記憶媒体５２１は、オペレーティングシステム５２３、アプリケーションプログラム５２５、およびデータ５２７を含む。他の実施形態では、記憶媒体５２１は他の類似のタイプの情報を含み得る。あるＵＥは、図５に示された構成要素のすべてを利用してよく、または構成要素のサブセットのみを利用してもよい。構成要素間の集積化のレベルは、ＵＥごとに変化し得るものである。さらに、あるＵＥは、複数のプロセッサ、記憶装置、トランシーバ、送信器、受信器など、構成要素の複数の事例を含有し得る。
【００７５】
図５において、処理サーキットリ５０１はコンピュータの命令およびデータを処理するように設定され得る。処理サーキットリ５０１は、１つまたは複数のハードウェア（たとえば離散ロジック、ＦＰＧＡ、ＡＳＩＣなど）で実施されるステートマシン、適切なファームウェアを加えたプログラマブルロジック、１つまたは複数の記憶されたプログラム、適切なソフトウェアを加えたマイクロプロセッサまたはデジタル信号プロセッサ（ＤＳＰ）などの汎用プロセッサ、または上記のものの任意の組合せなど、記憶装置に機械可読コンピュータプログラムとして記憶されたマシン命令を実行するように機能する任意の逐次ステートマシンを実施するように設定されてよい。たとえば、処理サーキットリ５０１は２つの中央処理装置（ＣＰＵ）を含み得る。データは、コンピュータが使用するのに適した形式の情報でよい。
【００７６】
表された実施形態では、入出力インターフェース５０５は、入力デバイス、出力デバイス、または入出力デバイスに通信インターフェースをもたらすように設定され得る。ＵＥ  ５００は、入出力インターフェース５０５を介して出力デバイスを使用するように設定され得る。出力デバイスは、入力デバイスと同一のタイプのインターフェースポートを使用し得る。たとえば、ＵＳＢポートは、ＵＥ  ５００に対して入力および出力をもたらすように使用され得る。出力デバイスは、スピーカ、サウンドカード、ビデオカード、表示器、モニタ、プリンタ、アクチュエータ、発光体、スマートカード、別の出力デバイス、またはそれらの任意の組合せでよい。ＵＥ  ５００は、ユーザがＵＥ  ５００に情報を取り込むことを可能にする入出力インターフェース５０５を介して入力デバイスを使用するように設定されてよい。入力デバイスは、タッチ感応または存在感応の表示器、カメラ（たとえばデジタルカメラ、デジタルビデオカメラ、ウェブカメラなど）、マイクロフォン、センサ、マウス、トラックボール、指向性パッド、トラックパッド、スクロールホイール、スマートカードなどを含み得る。存在感応表示器は、ユーザから入力を感知するための容量性タッチセンサまたは抵抗性タッチセンサを含み得る。センサは、たとえば加速度計、ジャイロスコープ、傾倒センサ、力センサ、磁力計、光センサ、近接センサ、別の類似のセンサ、またはそれらの任意の組合せでよい。たとえば、入力デバイスは、加速度計、磁力計、デジタルカメラ、マイクロフォン、および光センサでよい。
【００７７】
図５において、ＲＦインターフェース５０９は、送信器、受信器およびアンテナなどのＲＦ構成要素に通信インターフェースをもたらすように設定され得る。ネットワーク接続インターフェース５１１は、ネットワーク５４３ａに通信インターフェースをもたらすように設定され得る。ネットワーク５４３ａは、ローカルエリアネットワーク（ＬＡＮ）、広域ネットワーク（ＷＡＮ）、コンピュータネットワーク、無線ネットワーク、電気通信ネットワーク、別の類似のネットワーク、またはそれらの任意の組合せなど、有線および／または無線のネットワークを包含し得る。たとえば、ネットワーク５４３ａはＷｉ−Ｆｉネットワークを備え得る。ネットワーク接続インターフェース５１１は、イーサネット、ＴＣＰ／ＩＰ、ＳＯＮＥＴ、ＡＴＭなど１つまたは複数の通信プロトコルによる通信ネットワークを通じて１つまたは複数の他のデバイスと通信するのに使用される、受信器および送信器のインターフェースを含むように設定され得る。ネットワーク接続インターフェース５１１は、通信ネットワークリンク（たとえば光リンク、電気リンクなど）に適切な受信器および送信器の機能性を実施し得る。送信器の機能と受信器の機能は、回路部品、ソフトウェアまたはファームウェアを共有してよく、あるいは別個に実施されてもよい。
【００７８】
ＲＡＭ  ５１７は、オペレーティングシステム、アプリケーションプログラム、およびデバイスドライバなどのソフトウェアプログラムの実行中に、処理サーキットリ５０１に、データまたはコンピュータ命令の記憶またはキャッシュをもたらすために、バス５０２を介してインターフェースをとるように設定され得る。ＲＯＭ  ５１９は、処理サーキットリ５０１にコンピュータ命令またはデータを供給するように設定され得る。たとえば、ＲＯＭ  ５１９は、不変の低レベルのシステムコード、または基本的な入出力（Ｉ／Ｏ）、起動、もしくはキーボードからのキーストロークの受取りなど、不揮発性メモリに記憶される基本的なシステム機能のためのデータを記憶するように設定され得る。記憶媒体５２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなどの記憶装置を含むように設定され得る。一例では、記憶媒体５２１は、オペレーティングシステム５２３と、ウェブブラウザアプリケーション、ウィジェットエンジンもしくはガジェットエンジン、または別のアプリケーションなどのアプリケーションプログラム５２５と、データファイル５２７とを含むように設定され得る。記憶媒体５２１は、ＵＥ  ５００が使用する様々なオペレーティングシステムまたはオペレーティングシステムの組合せのうち任意のものを記憶し得る。
【００７９】
記憶媒体５２１は、独立ディスク冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、ブルーレイ光ディスクドライブ、ホログラフィーデジタルデータ記憶（ＨＤＤＳ）光ディスクドライブ、外部のミニデュアルインラインメモリモジュール（ＤＩＭＭ）、同期式動的ランダムアクセスメモリ（ＳＤＲＡＭ）、外部のマイクロＤＩＭＭ  ＳＤＲＡＭ、加入者識別モジュールまたは取外し可能ユーザアイデンティティ（ＳＩＭ／ＲＵＩＭ）モジュールなどのスマートカードメモリ、他のメモリ、またはそれらの任意の組合せなど複数の物理ドライブユニットを含むように設定され得る。記憶媒体５２１により、ＵＥ  ５００は、一時的記憶媒体または非一時的記憶媒体に記憶されたコンピュータ実行可能命令、アプリケーションプログラムなどにアクセスしてデータをダウンロードするかまたはアップロードすることが可能になり得る。通信システムを利用するものなどの製品は、デバイス可読媒体を備え得る記憶媒体５２１において実体的に具現されてよい。
【００８０】
図５において、処理サーキットリ５０１は、通信サブシステム５３１を使用してネットワーク５４３ｂと通信するように設定されてよい。ネットワーク５４３ａとネットワーク５４３ｂは、同一のネットワーク（複数可）または異なるネットワーク（複数可）であり得る。通信サブシステム５３１は、ネットワーク５４３ｂと通信するために使用される１つまたは複数のトランシーバを含むように設定されてよい。たとえば、通信サブシステム５３１は、ＩＥＥＥ  ８０２．１１、ＣＤＭＡ、ＷＣＤＭＡ、ＧＳＭ、ＬＴＥ、ＵＴＲＡＮ、ＷｉＭａｘなど１つまたは複数の通信プロトコルによって無線アクセスネットワーク（ＲＡＮ）の別のＷＤ、ＵＥ、または基地局などの無線通信が可能な別のデバイスの１つまたは複数の遠隔のトランシーバと通信するのに使用される１つまたは複数のトランシーバを含むように設定されてよい。各トランシーバが、ＲＡＮリンク（たとえば周波数割当てなど）に適した送信器の機能性を実施するための送信器５３３および／または受信器の機能性を実施するための受信器５３５を含み得る。さらに、各トランシーバの送信器５３３と受信器５３５は、回路部品、ソフトウェアまたはファームウェアを共有してよく、あるいは別個に実施されてもよい。
【００８１】
図示の実施形態において、通信サブシステム５３１の通信機能は、データ通信、音声通信、マルチメディア通信、Ｂｌｕｅｔｏｏｔｈなどの短距離通信、ニアフィールド通信、所在を判定するための全地球測位システム（ＧＰＳ）の使用などロケーションベースの通信、別の類似の通信機能、またはそれらの任意の組合せを含み得る。たとえば、通信サブシステム５３１は移動体通信、Ｗｉ−Ｆｉ通信、Ｂｌｕｅｔｏｏｔｈ通信およびＧＰＳ通信を含み得る。ネットワーク５４３ｂは、ローカルエリアネットワーク（ＬＡＮ）、広域ネットワーク（ＷＡＮ）、コンピュータネットワーク、無線ネットワーク、電気通信ネットワーク、別の類似のネットワーク、またはそれらの任意の組合せなど、有線および／または無線のネットワークを包含し得る。たとえば、ネットワーク５４３ｂは、セルラーネットワーク、Ｗｉ−Ｆｉネットワーク、および／またはニアフィールドネットワークでよい。電源５１３は、ＵＥ  ５００の構成要素に交流（ＡＣ）または直流（ＤＣ）の電力を供給するように設定され得る。
【００８２】
本明細書で説明された特徴、利点および／または機能は、ＵＥ  ５００の構成要素のうち１つで実施されてよく、またはＵＥ  ５００の複数の構成要素にわたって分割されてもよい。さらに、本明細書で説明された特徴、利点、および／または機能は、ハードウェア、ソフトウェアまたはファームウェアの任意の組合せで実施され得る。一例では、通信サブシステム５３１は、本明細書で説明された構成要素のうち任意のものを含むように設定され得る。さらに、処理サーキットリ５０１は、バス５０２を通じてそのような構成要素のうち任意のものと通信するように設定され得る。別の例では、そのような構成要素のいかなるものも記憶装置に記憶されたプログラム命令によって表現され得、処理サーキットリ５０１によって実行されたとき、本明細書で説明された対応する機能を遂行する。別の例では、そのような構成要素のいかなるものの機能性も処理サーキットリ５０１と通信サブシステム５３１の間で分割され得る。別の例では、そのような構成要素のいかなるものの非計算集約的機能もソフトウェアまたはファームウェアで実施され得、計算集約的機能はハードウェアで実施され得る。
【００８３】
図６は、いくつかの実施形態によって実施される機能が仮想化され得る仮想化環境６００を図示するブロック図である。現在の状況では、仮想化は装置またはデバイスの仮想バージョンを生成することを意味し、ハードウェアプラットフォーム、記憶デバイスおよびネットワークリソースを仮想化することを含み得る。本明細書で使用されるように、仮想化は、ノード（たとえば仮想化された基地局または仮想化された無線アクセスノード）、デバイス（たとえばＵＥ、無線デバイスまたは任意の他のタイプの通信デバイス）またはそれらの構成要素に適用され得、機能性のうち少なくとも一部分が（たとえば１つまたは複数のネットワークにおける１つまたは複数の物理処理ノード上で実行する、１つまたは複数のアプリケーション、コンポーネント、機能、仮想マシンまたは仮想コンテナによって）１つまたは複数の仮想構成要素として実施される実装形態に関するものである。
【００８４】
いくつかの実施形態では、本明細書で説明された機能のうちいくつかまたはすべてが、ハードウェアノード６３０のうち１つまたは複数によってホスティングされた１つまたは複数の仮想環境６００において実施される１つまたは複数の仮想マシンによって実行される仮想構成要素として実施され得る。さらに、仮想ノードが無線アクセスノードではない、または無線接続性を必要としない（たとえばコアネットワークノードである）実施形態では、ネットワークノードは完全に仮想化され得る。
【００８５】
機能は、本明細書で開示された実施形態のいくつかの特徴、機能、および／または利点のうちいくつかを実施するように機能する１つまたは複数のアプリケーション６２０（あるいはソフトウェアインスタンス、仮想機器、ネットワーク機能、仮想ノード、仮想ネットワーク機能などと称され得る）によって実施され得る。アプリケーション６２０は、処理サーキットリ６６０および記憶装置６９０を備えるハードウェア６３０をもたらす仮想化環境６００において実行される。記憶装置６９０が含有している命令６９５は処理サーキットリ６６０によって実行され得、それによって、アプリケーション６２０が、本明細書で開示された特徴、利点、および／または機能のうち１つまたは複数をもたらすように動作可能である。
【００８６】
仮想化環境６００は、民生品の（ＣＯＴＳ）プロセッサ、専用の特定用途向け集積回路（ＡＳＩＣ）、またはデジタルもしくはアナログのハードウェア構成要素もしくは専用プロセッサを含む何らかの他のタイプの処理サーキットリであり得る、１つまたは複数のプロセッサまたは処理サーキットリ６６０のセットを備える汎用または専用のネットワークハードウェアデバイス６３０を備える。各ハードウェアデバイスが備え得る記憶装置６９０−１は、処理サーキットリ６６０によって実行される命令６９５またはソフトウェアを一時的に記憶するための非持続的記憶装置でよい。各ハードウェアデバイスが備え得る１つまたは複数のネットワークインターフェースコントローラ（ＮＩＣ）６７０は、ネットワークインターフェースカードとしても知られており、物理ネットワークインターフェース６８０を含む。各ハードウェアデバイスは、処理サーキットリ６６０によって実行可能なソフトウェア６９５および／または命令を記憶している非一時的かつ持続的な機械可読記憶媒体６９０−２も含み得る。ソフトウェア６９５は、１つまたは複数の仮想化層６５０のインスタンスを作成するためのソフトウェア（ハイパーバイザとも称される）、仮想マシン６４０を実行するためのソフトウェア、ならびに仮想マシン６４０が本明細書で説明されたいくつかの実施形態に関連して説明された機能、特徴および／または利点を実行することを可能にするソフトウェアを含む任意のタイプのソフトウェアを含み得る。
【００８７】
仮想マシン６４０は、仮想処理、仮想記憶、仮想ネットワーキングまたはインターフェース、および仮想記憶機構を備え、対応する仮想化層６５０すなわちハイパーバイザによって実行され得る。仮想機器６２０のインスタンスの異なる実施形態が、仮想マシン６４０のうち１つまたは複数で実施され得、実装形態は異なるやり方で作製され得る。
【００８８】
処理サーキットリ６６０は、動作中にソフトウェア６９５を実行して、仮想マシンモニタ（ＶＭＭ）と称されることもあるハイパーバイザすなわち仮想化層６５０のインスタンスを作成する。仮想化層６５０は、仮想マシン６４０に対するネットワーキングハードウェアのように見える仮想動作プラットフォームを提示してよい。
【００８９】
図６に示されるように、ハードウェア６３０は一般的な構成要素または特定の構成要素を伴うスタンドアロンのネットワークノードでよい。ハードウェア６３０はアンテナ６２２５を備えてよく、仮想化によっていくつかの機能を実施し得る。あるいは、ハードウェア６３０は、多くのハードウェアノードが連携し、とりわけアプリケーション６２０のライフサイクル管理を監視する管理および編成（ＭＡＮＯ）６１００によって管理される、より大きなハードウェアのクラスタの一部分（たとえばデータセンタまたは顧客の構内機器（ＣＰＥ）におけるものなど）でよい。
【００９０】
ハードウェアの仮想化は、いくつかの状況では、ネットワーク機能の仮想化（ＮＦＶ）と称される。ＮＦＶは、業界標準の多くのネットワーク機器のタイプを、データセンタおよび顧客の構内機器に配置され得る大容量のサーバハードウェア、物理スイッチ、および物理的記憶機構に統合するために使用され得る。
【００９１】
ＮＦＶの状況では、仮想マシン６４０は、あたかも有形で仮想化されていないマシン上で実行しているかのようにプログラムを実行する、物理マシンのソフトウェア実装形態であり得る。仮想マシン６４０と、（仮想マシン６４０の専用ハードウェアであろうと、仮想マシン６４０のうち他のものと共有されるハードウェアであろうと）ハードウェア６３０のうち仮想マシン６４０を実行する部分との各々が、別個の仮想ネットワーク要素（ＶＮＥ）を形成する。
【００９２】
依然としてＮＦＶの状況において、仮想ネットワーク機能（ＶＮＦ）がハンドリングを担う特定のネットワーク機能は、ハードウェアネットワークのインフラストラクチュア６３０の最上部における１つまたは複数の仮想マシン６４０で走り、図６のアプリケーション６２０に対応するものである。
【００９３】
いくつかの実施形態では、１つまたは複数の無線ユニット６２００は、それぞれが１つまたは複数の送信器６２２０および１つまたは複数の受信器６２１０を含み、１つまたは複数のアンテナ６２２５に結合され得る。無線ユニット６２００は、１つまたは複数の適切なネットワークインターフェースを通じてハードウェアノード６３０と直接通信してよく、仮想構成要素と組み合わせて使用され得て、無線アクセスノードまたは基地局など無線能力を伴う仮想ノードをもたらす。
【００９４】
いくつかの実施形態では、いくつかのシグナリングは、ハードウェアノード６３０と無線ユニット６２００の間の通信用に代替として使用され得る制御システム６２３０の使用の影響を受ける可能性がある。
【００９５】
図７は特定の実施形態による流れ図を表すものである。図７の流れ図で表された方法はステップ７０５において始まり、ネットワークノードがビームの報告設定を含むメッセージを生成する。ビームの報告設定は、ネットワークノードが求める、無線デバイスによる測定報告の構築の要領を規定する。たとえば、ビームの報告設定は、測定報告が、セルの品質値ならびにセルの品質値を生成するのに使用されるビーム識別子、あるいは、セルの品質値ならびにセルの品質値を生成するのに使用されるビーム測定値および関連するビーム識別子を含有するべきであると規定してよい。これにより、ネットワークノードは、ネットワークノードまたは無線ネットワークの状態および要求に依拠して報告される情報のタイプを規定することが可能になり得る。ビームの報告設定は、特定の無線デバイスに特有のものでよく、または複数もしくはすべての無線デバイスに対して一般に適用可能でよい。
【００９６】
ステップ７１０において、無線デバイスはビームの報告設定を含有しているメッセージを受信する。メッセージは無線信号によって受信され得る。メッセージはＲＲＣメッセージでよい。
【００９７】
ステップ７１５において、無線デバイスは、第１の数のビームの１つまたは複数の特性を測定する。ビームの実際の数は、無線デバイスの設定、無線デバイスの物理環境など、様々な要因に依拠し得るものである。いくつかの実施形態では、無線デバイスは、ＳＳブロックセットに基づいて近くのセルを検知し得る。次いで、無線デバイスは、所与のセルに関して１つまたは複数のビームのサンプルを収集してよい。次いで、無線デバイスは、ＳＳブロックセットにおけるビームごとのＳＩＮＲおよび／またはＲＳＲＰの計算を遂行してよい。
【００９８】
ステップ７２０において、無線デバイスは、ステップ７１５で測定された１つまたは複数の特性のうち少なくともいくつかを処理することによってレイヤ１（Ｌ１）のセルの品質を生成する。セルの品質は、セルの品質を導出するための従来のプロセスに類似のやり方で導出されてよい。たとえば、無線デバイスは、最初に、ビームごとに計算されたＲＳＲＰ値を組み合わせてよい（たとえばＮの最強／最良のビームの平均をとってよい（Ｎはネットワークによって設定され得る））。次いで、組み合わされた値がＬ１のフィルタに入力され、次いで、Ｌ１のフィルタリングされた値がＬ３に供給されて、ＲＲＣ層によって制御されるかまたは設定され得る追加のフィルタリングが遂行される。
【００９９】
この方法は、裁定ステップ７２５において、ビームの報告設定メッセージが報告を規定するのはＬ１のみかそれともＬ１とＬ３の両方かということに依拠して、２つの進路のうち１つを続ける。
【０１００】
ビームの報告設定がＬ１の報告のみを規定する場合には、ステップ７３０において、無線デバイスは、ステップ７２０で遂行されたセルの品質導出に基づいて測定報告を生成する。次いで、無線デバイスは、ビームの報告設定の情報に依拠して、ステップ７１５で測定された１つまたは複数の特性を棄却してよい。いくつかの実施形態では、Ｌ１のセルの品質値しか報告されなくても、測定結果は将来使用するために記憶されてよい（図７には図示されていない）。
【０１０１】
ビームの報告設定が、無線デバイスがＬ１およびＬ３の処理を遂行するように規定する場合には、ステップ７４０において、無線デバイスは測定報告に含まれるべき１つまたは複数のビームを選択する。これは、ネットワーク設定（たとえば、ネットワークノードが、含むべきビームを規定している場合）、測定結果（たとえば、無線デバイスがＸの最良のビームを選ぶ場合）、セルの品質に関するＬ１の処理の一部分として報告されるべきものなど、複数の異なる要因に基づき得る。
【０１０２】
ステップ７４５において、無線デバイスは、ステップ７４０で選択されたビームに関するＬ３のビームの測定情報を生成する。ビームの測定情報は、ステップ７４０で選択されたビームに関連する、ステップ７１５からの測定された特性に基づき得る。ステップ７４５において生成されるビームの測定情報は、Ｌ１のセルの品質値を生成するのに使用されたビームの数および／またはビームのアイデンティティ、選択された数のビームに関する１つまたは複数の測定された特性（たとえばセルの品質報告のために合計されたかまたは平均をとられたこれらの値よりも以前の個別のビーム品質値）などの情報を含み得る。
【０１０３】
ステップ７５０において、無線デバイスは測定報告を生成する。測定報告は、Ｌ３のビームの測定情報とＬ１のセルの品質値の両方を伴う単一の報告を含み得る。いくつかの実施形態では、測定報告は、Ｌ１のセルの品質値およびＬ３のビームの測定情報に関する別個の報告を含み得る。
【０１０４】
ステップ７５５において、無線デバイスは、ネットワークノードに測定報告を送る。ステップ７５５で送られる測定報告は、ビームの報告設定に依拠して、ステップ７５０で生成された報告またはステップ７３０で生成された測定報告であり得る。
【０１０５】
ステップ７６０において、ネットワークノードは測定報告を受信する。ステップ７６５において、ネットワークノードは、受信した測定報告に基づいて、１つまたは複数のネットワーク設定パラメータを直接的または間接的に変更する。たとえば、ネットワークノードは無線デバイスに対するハンドオーバプロシージャを起動してよい。
【０１０６】
図８は、特別な実施形態による第２の方法の流れ図を表すものである。図８の流れ図は、無線デバイスの観点とネットワークノードの観点の両方からのステップを含む図７とは異なり、無線デバイスの観点に的を絞っている。
【０１０７】
この方法はステップ８０５で始まり、無線デバイスは、ビームの報告設定を含むメッセージを受信する。ビームの報告設定は、報告のタイプ（たとえばＬ１のみ、Ｌ１およびＬ３）と、報告の要領（たとえばビームの数、ビームの測定情報のタイプなど）と、報告するべきとき（たとえば周期的に、起動イベント応答して、など）とを規定し得る。いくつかの実施形態では、無線デバイスは、事前に構成されたビームの報告設定またはデフォルトのビームの報告設定を有し得る。そのような実施形態では、この方法はステップ８１０において開始し得る。ビームの報告設定は、実施形態およびシナリオに依拠して、無線デバイスが、ｉ）ビームＩＤ、またはｉｉ）ビームＩＤ＋それぞれのビームＩＤに関連したビームごとの測定結果（すなわちＲＳＲＰおよび／またはＲＳＲＱおよび／またはＳＩＮＲ）を報告するべきであることを規定してよい。これらは単独で報告されてよく、セルの品質値とともに報告されてもよい。測定報告を構築する要領に関して無線デバイスに警報することにより、無線デバイスは、規定された情報を生成するかまたは導出するために行うべきことを認識する。ネットワークは、この情報を使用して無線ネットワークの管理をより改善することができる。
【０１０８】
ステップ８１０において、無線デバイスは第１の数のビームを検知する。検知されたビームは１つまたは複数の異なるセルに関連づけられてよい。検知されたビームは１つまたは複数のＳＳブロックセットに関連づけられてよい。
【０１０９】
ステップ８１５において、無線デバイスは、第２の数のビームの１つまたは複数の特性を測定する。第２の数のビームは、第１の数のビームのうち１つまたは複数のビームを含む。無線デバイスの状態および／または設定に依拠して、第２の数のビームは第１の数のビーム以下でよい。第２の数のビームには、ステップ８１０において検知された第１の数のビームの一部分ではないビームは含まれない。
【０１１０】
ステップ８２０において、無線デバイスはセルの品質指示を生成する。セルの品質指示は、第２の数のビームの１つまたは複数の特性のうち少なくともいくつかを処理することによって生成され得る。これは、本明細書では一般にＬ１の処理と称され得る。セルの品質指示は、セルの品質を導出するための従来のプロセスに類似のやり方で生成されてよい。たとえば、無線デバイスは、最初に、ビームごとに計算されたＲＳＲＰ値を組み合わせてよい（たとえばＮの最強／最良のビームの平均をとってよい（Ｎはネットワークによって設定され得る））。次いで、組み合わされた値がＬ１のフィルタに入力され、次いで、Ｌ１のフィルタリングされた値がＬ３に供給されて、ＲＲＣ層によって制御されるかまたは設定され得る追加のフィルタリングが遂行される。注目すべきは、このやり方で生成されたセルの品質指示は、ビームに特有の情報を含まない。すなわち、セルの品質指示は、セルの品質指示を生成した個別ビームの数、アイデンティティ、または品質についての識別可能な情報を含まない。たとえば、１つの優れたビームと１つの不良なビームとが、３つの平均ビームとして同一のセルの品質指示を生成する可能性がある。いくつかの実施形態では、無線デバイスは、ビームの報告設定を伴うメッセージを受信しなければ（またはビームの報告設定が別様に規定されていなければ）、セルの品質指示が一旦生成されると、測定された特性を単に棄却してよい。
【０１１１】
ステップ８２５において、無線デバイスはビームの測定情報を判定する。ビームの測定情報は、ビーム識別子、ビーム品質値、ビームの数、品質および／または識別子に基づく統計、Ｌ３のフィルタリングされたビーム測定結果、Ｌ３のフィルタリングされたビーム測定結果から導出したビーム識別子、上記で説明されたビームの測定情報（たとえば一定の判定基準を満たすビームの数）から導出したアグリゲートされた値（複数可）または任意のそれらの組合せを含み得る。いくつかの実施形態では、ビームの測定情報は、Ｌ３の処理のためのステップ８１５において測定された特性を与えることによって導出され得る。Ｌ３の機能の中で特に、Ｌ３の処理はＬ３のフィルタリングを含み得る。たとえば、いくつかの実施形態では、ＯＵＴＰＵＴ（ｎ）＝ａｌｐｈａ×ｓａｍｐｌｅ（ｎ）＋（１−ａｌｐｈａ）×ＯＵＴＰＵＴ（ｎ−１）といった時間領域のフィルタリングが適用され得、ａｌｐｈａは、ＲＲＣプロトコル層とも称されるＬ３によって設定される。
【０１１２】
ステップ８２５において導出されるビームの測定情報のタイプは、ステップ８０５において受信されたビームの報告設定に基づき得る。いくつかの実施形態では、ビームの測定情報を導出するやり方は、ネットワークノードによって用意された別個の設定に基づき得る（たとえばビームの報告設定から分離される）。
【０１１３】
いくつかの実施形態では、無線デバイスは、測定報告に含めるべきビームを選択するため、したがって、規定された測定報告を生成するために導出するべきビームの測定情報を選択するための、ビーム選択機能を遂行し得る。たとえば、無線デバイスは、最良のビーム＋閾値を上回るＸ−１のビームを選択してよく、Ｘはセルごとに規定され、Ｘおよび閾値はビームの報告設定の一部分である。
【０１１４】
ステップ８３０において、無線デバイスは、起動イベントが検知されるまで、第２の数のビームの１つまたは複数の特性の測定結果を管理する。たとえば、無線デバイスは、ハンドオーバの可能な要求などの起動イベントを検知するまで、ネットワークノードに、単に従来のセルの品質報告を供給してよい。無線デバイスは、セルの品質を含有している従来の測定報告をネットワークに供給している間に、ビームの測定情報を記憶し、将来の起動イベントを予期して、記憶されたデータに対する様々な分析論を遂行してよい。たとえば、無線デバイスは、最良のビームと最悪のビーム間に大きな隔たりがあるセル、または少数の強い個別ビームを供給するがその他のビームが低品質であるセルを識別することにより、記憶された測定結果を管理してよい。別の例として、無線デバイスは、各セルについて、優れたビームの数または優れたビームの割合を追跡してよい。多数の他の例が明白であろう。無線デバイスは、この情報を、測定報告用に必要とされるまで管理し続けてよい。いくつかの実施形態では、ビームの測定情報は、自動的に、またはネットワークからの要求に応答して供給され得、その場合には、この方法はステップ８３０を含まず、簡単にステップ８２５から８３５へ行ってよい。
【０１１５】
ステップ８３５において、無線デバイスは測定報告を生成する。この測定報告は、第２の数のビームの１つまたは複数の特性を測定して導出されたビームの測定情報を含み得る。いくつかのシナリオでは、無線デバイスは、セルの品質およびビームの測定情報について別個の測定報告を生成してよい。いくつかの実施形態では、測定報告は、ビームの測定情報とともにセルの品質値を含み得る。すなわち、ビームの測定情報は、ネットワークノードに対して無線デバイスが受信しているビームの信号品質のより優れた描写を供給するために、セルの品質指示を補足し得るものである。たとえば、測定報告は、特別なセルのビームに関するビーム識別子と併せて、そのセルの品質指示（ＲＳＲＰ、ＲＳＲＱ、ＳＩＮＲなど）を含み得る。別の例として、測定報告は、特別なセルのビーム識別子および対応するビーム固有の品質指示と併せて、そのセルの品質指示（ＲＳＲＰ、ＲＳＲＱ、ＳＩＮＲなど）を含み得る。測定報告のタイミングおよび内容は、ネットワークノードから受信されたビームの報告設定の情報に基づき得る。たとえば、ビームの報告設定は「ｉｎｃｌｕｄｅＢｅａｍＭｅａｓｕｒｅｍｅｎｔｓ」などのパラメータを含み得、これがＴＲＵＥであれば、無線デバイスは、ビームＩＤと、関連する測定結果の両方を含み、ＦＡＬＳＥであればビームＩＤのみを含む。いくつかの実施形態では、測定報告におけるビームの測定情報は、セルの品質指示が生成されたセルに関連したビームでよい。
【０１１６】
ステップ８４０において、無線デバイスは、ネットワークノードに対してビームの測定情報を伴う測定報告を送信する。
【０１１７】
図９は、特別な実施形態による無線デバイスのブロック図を表すものである。無線デバイス９００は、図４に示された無線デバイス４１０または図５に示された無線デバイス５００など無線デバイスにおいて実施され得る。無線デバイス９００は、図７および図８に表された方法のすべてまたはいくつか、ならびに本明細書で開示された任意の他のプロセスまたは方法を実行するように設定されている。
【０１１８】
無線デバイス９００が備え得る処理サーキットリは、１つまたは複数のマイクロプロセッサまたはマイクロコントローラ、ならびに、デジタル信号プロセッサ（ＤＳＰ）、専用デジタルロジックなどを含み得る他のデジタルハードウェアを含み得る。処理サーキットリは、読取り専用メモリ（ＲＯＭ）、ランダムアクセスメモリ、キャッシュメモリ、フラッシュメモリ素子、光学記憶デバイスなどの１つまたはいくつかのタイプの記憶装置を含み得る記憶装置に記憶されたプログラムコードを実行するように設定されてよい。記憶装置に記憶されたプログラムコードは、１つまたは複数の遠隔通信プロトコルおよび／またはデータ通信プロトコルを実行するためのプログラム命令、ならびに、いくつかの実施形態において本明細書で説明された技術のうち１つまたは複数を実行するための命令を含む。いくつかの実装形態では、処理サーキットリは、受信ユニット９１０、測定ユニット９２０、管理ユニット９３０、報告ユニット９４０、送信ユニット９５０、記憶ユニット９６０、および無線デバイス９００の任意の他の適切なユニットに、本開示の１つまたは複数の実施形態による対応する機能を遂行させるように使用され得る。
【０１１９】
図９に図示されているように、無線デバイス９００は、受信ユニット９１０、測定ユニット９２０、管理ユニット９３０、報告ユニット９４０、送信ユニット９５０、および記憶ユニット９６０を含む。受信ユニット９１０は第１の数のビームを検知するように設定されている。この検知は図８のステップ８１０に類似でよい。受信ユニット９１０は、ビームの報告設定を含むメッセージを受信するようにも設定され得る。この受信は図８のステップ８０５に類似でよい。測定ユニット９２０は、第２の数のビームの１つまたは複数の特性を測定するように設定され得る。この測定は図８のステップ８１５に類似でよい。管理ユニット９３０は、起動イベントが検知されるまで、第２の数のビームの１つまたは複数の特性の測定結果を管理するように設定され得る。この管理は図８のステップ８３０に類似でよい。報告ユニット９４０は、第２の数のビームの１つまたは複数の特性を測定して導出されたビームの測定情報を含む測定報告を生成するように設定され得る。この生成は図８のステップ８３５に類似でよい。報告ユニット９４０は、第１のセルに関連した第１の数のビームのうち少なくともいくつかに基づいて第１のセルのセル品質の指示を生成するようにも設定され得る。この生成は図８のステップ８２０に類似でよい。報告ユニット９４０は、セルの品質の指示を含む第２の測定報告を生成するようにも設定され得る。この生成は図８のステップ８３５において論じられたものでよい。送信ユニット９５０は、ネットワークノードに対してビームの測定情報を伴う測定報告を送信するように設定され得る。この送信は図８のステップ８４０に類似でよい。記憶ユニット９６０は、第２の数のビームの１つまたは複数の特性の測定結果を記憶するように設定され得る。この記憶は、図８のステップ８３０に関連して論じられた記憶に類似でよい。
【０１２０】
上記の開示を考慮して、本明細書で開示された実施形態のうち少なくともいくつかは、無線デバイスが、ネットワークに、ネットワークの無線リソースをよりうまく管理することを可能にするためのビームの測定情報を供給するやり方を提供し得るものである。発明概念の特定の態様が、少数の実施形態を参照しながら主として説明されてきた。しかしながら、当業者によって容易に理解されるように、上記で開示されたもの以外の実施形態は、添付の特許請求の範囲によって規定されるように本発明概念の範囲内で同様に可能である。同様に、構成要素およびステップの複数の異なる組合せが論じられてきたが、すべての可能な組合せが開示されたわけではない。当業者なら、発明概念の範囲内に他の組合せが存在することを認めるであろう。その上に、当業者には理解されるように、本明細書で開示された実施形態自体が、他の規格および通信システムに適用可能であり、他の機能に関連して開示された特別な図からのいかなる機能も、任意の他の図に適用可能であり、かつ／または異なる機能と組み合わされ得る。
【図１】
2020516123.tif 000003
【図２】
2020516123.tif 000004
【図３】
2020516123.tif 000005
【図４】
2020516123.tif 000006
【図５】
2020516123.tif 000007
【図６】
2020516123.tif 000008
【図７】
2020516123.tif 000009
【図８】
2020516123.tif 000010
【図９】
2020516123.tif 000011
【国際調査報告】
2020516123.tif 000012
2020516123.tif 000013
2020516123.tif 000014
2020516123.tif 000015